(57)【要約】      （修正有）【課題】社会のセキュリティを高めるために複数のセンサからのデータの監視及び収集、並びに複数のセンサを管理し、効率的にセンサに基づく関連情報を提供する。【解決手段】システム、装置、及び方法は、グラフィカルユーザインタフェースを介して複数のセンサを監視及び管理をするように構成され、複数のセンサデータを受信し、受信したセンサデータを分析し、わかりやすい形式又はフォーマットで受信したセンサデータを表示して、重要な可能性のある受信したセンサデータに注意を向けさせる。【選択図】図３
2016021740.tif 000002
【特許請求の範囲】
【請求項１】
イベントを定義するパラメータを受信するステップと、
第１のセンサに関連するデータを受信するステップと、
前記第１のセンサに関連するデータに基づいて前記イベントが発生したかどうかを決定するステップと、
前記イベントが発生したことを決定するステップに応じて、前記イベントに関連するインジケータを表示するステップとを備える、方法。
【請求項２】
前記パラメータは放射線測定値範囲である、請求項１に記載の方法。
【請求項３】
前記第１のセンサに関連する前記データは、分析したセンサデータと、前記第１のセンサに関連するメタデータとを含む、請求項１に記載の方法。
【請求項４】
グラフィカルユーザインタフェースを介して前記第１のセンサの選択を受信するステップと、
前記第１のセンサに関連するメタデータの一部を記憶するステップであって、前記メタデータの一部は前記パラメータの一部であるステップとを更に備える、請求項１に記載の方法。
【請求項５】
前記パラメータは、建物名、フロアレベル、部屋番号、地理空間座標、地理的位置からの距離、及びセンサ機器特性からなるグループから選択される、請求項１に記載の方法。
【請求項６】
前記パラメータは、前記第１のセンサと第２のセンサとの間の距離を含む、請求項１に記載の方法。
【請求項７】
前記パラメータは、前記第１のセンサからの第１のセンサ測定値と前記第２のセンサからの第２のセンサ測定値との間の時間間隔を更に含む、請求項６に記載の方法。
【請求項８】
前記第１のセンサは前記第２のセンサに近接する、請求項７に記載の方法。
【請求項９】
前記パラメータは、前記第１のセンサ及び前記第２のセンサを通り過ぎた物体の移動速度に基づくものである、請求項８に記載の方法。
【請求項１０】
イベントに関連する複数のパラメータを受信するステップと、
複数のセンサに関連するデータを受信するステップと、
前記複数のセンサに関連するデータと前記イベントに関連する前記複数のパラメータとに基づいて前記イベントが発生したかどうかを決定するステップと、
前記イベントが発生したことを決定するステップに応じて、前記イベントに関連するインジケータを表示するステップとを備える、方法。
【請求項１１】
前記複数のセンサに関連する前記データは、分析したセンサデータと、前記複数のセンサに関連するメタデータとを含む、請求項１０に記載の方法。
【請求項１２】
グラフィカルユーザインタフェースを介して前記複数のセンサのうちの一組のセンサの選択を受信するステップと、
前記一組のセンサに関連するメタデータの一部を前記イベントに関連する前記パラメータとして記憶するステップとを更に備える、請求項１０に記載の方法。
【請求項１３】
前記イベントに関連する複数のパラメータは放射線閾値を含む、請求項１０に記載の方法。
【請求項１４】
前記複数のパラメータは、前記複数のセンサのうちの前記第１のセンサと第２のセンサとの間の距離を含む、請求項１０に記載の方法。
【請求項１５】
前記複数のパラメータは、前記第１のセンサからの第１のセンサ測定値と前記第２のセンサからの第２のセンサ測定値との間の時間間隔を更に含む、請求項１４に記載の方法。
【請求項１６】
前記複数のパラメータは、前記複数のセンサのうちの第１のセンサと第２のセンサとの間の距離範囲を含む、請求項１０に記載の方法。
【請求項１７】
前記イベントに関連する前記複数のパラメータは、前記複数のセンサのうちの第１のセンサ及び第２のセンサを通り過ぎた物体の移動速度を含む、請求項１０に記載の方法。
【請求項１８】
イベントを定義するための条件を受信するように構成されたパラメータモジュールと、
複数のセンサに関連するデータを受信するように構成されたデータモジュールと、
前記複数のセンサに関連する前記データに基づいて前記イベントが発生したかどうかを決定するように構成されたイベント決定モジュールと、
前記イベントの発生に基づいてインジケータを出力するように構成された視覚化モジュールとを備える、システム。
【請求項１９】
前記イベントに関連する前記条件は、指定限界外で変化する前記複数のセンサからの一組の測定値を含む、請求項１８に記載のシステム。
【請求項２０】
前記イベントに関連するインジケータを送信するように構成されたメッセージングモジュールを更に備える、請求項１８に記載のシステム。
【発明の詳細な説明】
【技術分野】
【０００１】
（関連出願）
本出願は、参照によって本明細書に組み込まれる、２０１４年５月２０日に出願されたＪｏｓｅｐｈ  Ｌ．Ｇａｌｌｏらによる「センサベース検出システム」という名称の米国特許出願番号第１４／２８１，８９６号（代理人整理番号第１３−０１２−００−ＵＳ号）に関連する。
【０００２】
本出願は、参照によって本明細書に組み込まれる、２０１４年５月２０日に出願されたＪｏｓｅｐｈ  Ｌ．Ｇａｌｌｏらによる「センサ管理及びセンサ分析システム」という名称の米国特許出願番号第１４／２８１，９０１号（代理人整理番号第１３−０１３−００−ＵＳ号）に関連する。
【０００３】
本出願は、参照によって本明細書に組み込まれる、２０１４年６月２５日に出願されたＪｏｓｅｐｈ  Ｌ．Ｇａｌｌｏらによる「センサ関連メッセージングの方法及びシステム」という名称の米国特許出願番号第１４／３１５，２８９号（代理人整理番号第１３−０１５−００−ＵＳ号）に関連する。
【０００４】
本出願は、参照によって本明細書に組み込まれる、２０１４年６月２５日に出願されたＪｏｓｅｐｈ  Ｌ．Ｇａｌｌｏらによる「センサベース検出システムの経路決定」という名称の米国特許出願番号第１４／３１５，３１７号（代理人整理番号第１３−０１６−００−ＵＳ号）に関連する。
【０００５】
本出願は、参照によって本明細書に組み込まれる、２０１４年６月２５日に出願されたＪｏｓｅｐｈ  Ｌ．Ｇａｌｌｏらによる「センサベース検出システムのグラフィカルユーザインタフェース」という名称の米国特許出願番号第１４／３１５，３２０号（代理人整理番号第１３−０１７−００−ＵＳ号）に関連する。
【０００６】
本出願は、参照によって本明細書に組み込まれる、２０１４年６月２５日に出願されたＪｏｓｅｐｈ  Ｌ．Ｇａｌｌｏらによる「センサベース検出システムの経路決定用のグラフィカルユーザインタフェース」という名称の米国特許出願番号第１４／３１５，３２２号（代理人整理番号第１３−０１８−００−ＵＳ号）に関連する。
【０００７】
本出願は、参照によって本明細書に組み込まれる、２０１４年５月２０日に出願されたＪｏｓｅｐｈ  Ｌ．Ｇａｌｌｏらによる「センサベース検出システム用のイベント管理システム」という名称の米国特許出願番号第１４／２８１，９０４号（代理人整理番号第１３−０２０−００−ＵＳ号）に関連する。
【０００８】
本出願は、参照によって本明細書に組み込まれる、２０１３年５月２３日に出願されたＦｅｒｄｉｎａｎｄ  Ｅ．Ｋ．ｄｅ  Ａｎｔｏｎｉらによる「センサ測定値の取り込み、記憶、及び分析用のドメイン不可知方法及びシステム」という名称のフィリピン特許出願番号第１４／２８１，９０４号（代理人整理番号第１３−０２７−００−ＰＨ号）に関連する。
【０００９】
本出願は、参照によって本明細書に組み込まれる、２０１４年５月２１日に出願されたＦｅｒｄｉｎａｎｄ  Ｅ．Ｋ．ｄｅ  Ａｎｔｏｎｉらによる「ユーザクエリ及びゲージの読み込み関係」という名称の米国特許出願番号第１４／２８１，９０４号（代理人整理番号第１３−０２７−００−ＵＳ号）に関連する。
【背景技術】
【００１０】
技術が進歩するにつれて、コンピューティング技術は、ますます多くのエリアに急増すると共に、価格が低下している。その結果として、スマートフォン、ラップトップ、ＧＰＳなどのような装置が我々の社会で広く行き渡り、それによってかつてないほど多いロケーションで集められるデータ量が増加している。残念なことに、集められた情報の多くがエンドユーザに対するマーケティングや広告に利用される（例えば、スマートフォンユーザが近くのスターバックスのクーポンを受け取る、など）一方で、我々の社会のセキュリティがボストンマラソン爆破のようなテロ攻撃にさらされたままであり、その危険性がある。
【先行技術文献】
【特許文献】
【００１１】
【特許文献１】特開２００９−２１９０３４号公報
【発明の概要】
【発明が解決しようとする課題】
【００１２】
従って、例えば、放射線等を検出することによって、我々の社会のセキュリティを高めるために複数のセンサからのデータの監視及び収集、並びに複数のセンサの管理を可能にする解決法に対する必要性が生じている。更に、セキュリティを高めるために効率的にセンサに基づく関連情報を提供する必要がある。
【課題を解決するための手段】
【００１３】
実施形態は、センサデータを視覚化及び分析すると共に、有意義な方法でセンサデータ及び分析を表示するように実施可能である。実施形態は、センサデータ（例えば、センサ測定値、センサメタデータ等）を受信し、受信したセンサデータ（例えば、センサ測定値、分析したセンサデータ、センサ測定値と分析したセンサデータの組み合わせ等）を分析し、わかりやすい形式又はフォーマットで（例えば、視覚的又は外部システムに）受信したセンサデータを表示して、重要な可能性のある受信したセンサデータに注意を向けさせるように構成される。実施形態は、パラメータ、条件、ヒューリスティック、又はそれらの任意の組み合わせに基づいて受信したセンサデータをフィルタリングして、特に重要な可能性がある受信したセンサデータを視覚的に強調及び報告するように実施可能である。実施形態は、センサ測定値がどのように関連しているかと報告に関連するセンサ測定値を決定し、それによって１つのグループとして重要な可能性があるセンサ測定値を報告することができる。実施形態は、単なる例示を目的として放射線検出及びガンマ線検出の背景の中で本明細書において説明されており、範囲を限定することを意図するものではないことを理解されたい。
【００１４】
一実施形態は、センサを監視及び管理するための方法を対象にする。本方法は、イベントを定義するパラメータを受信するステップと、第１のセンサに関連するデータを受信するステップとを含む。一部の実施形態では、第１のセンサに関連するデータは、分析したセンサデータと、第１のセンサに関連するメタデータとを含む。本方法は、第１のセンサに関連するデータに基づいてイベントが発生したかどうかを決定するステップと、イベントが発生したことを決定するステップに応じて、イベントに関連するインジケータを表示するステップとを更に含む。一部の実施形態では、本方法は、グラフィカルユーザインタフェースを介して第１のセンサの選択を受信するステップと、第１のセンサに関連するメタデータの一部を記憶するステップとを更に含んでもよい。メタデータの一部は、パラメータの一部であってよい。
【００１５】
一部の実施形態では、パラメータは放射線測定値範囲である。一部の実施形態では、パラメータは、建物名、フロアレベル、部屋番号、地理空間座標、地理的位置からの距離、及びセンサ機器特性からなるグループから選択される。一部の実施形態では、パラメータは、第１のセンサと第２のセンサの間の距離を含む。一部の実施形態では、パラメータは、第１のセンサからの第１のセンサ測定値と第２のセンサからの第２のセンサ測定値の間の時間間隔を更に含む。第１のセンサは、第２のセンサに近接していてもよい。パラメータは、第１のセンサ及び第２のセンサを通り過ぎた物体の移動速度に基づいてもよい。
【００１６】
別の実施形態は、センサを監視及び管理するための方法を対象とする。本方法は、イベントに関連する複数のパラメータを受信するステップと、複数のセンサに関連するデータを受信するステップとを含む。一部の実施形態では、複数のセンサに関連するデータは、分析したセンサデータと、複数のセンサに関連するメタデータとを含む。本方法は、複数のセンサに関連するデータとイベントに関連する複数のパラメータとに基づいてイベントが発生したかどうかを決定するステップと、イベントが発生したことを決定するステップに応じて、イベントに関連するインジケータを表示するステップとを更に含む。一部の実施形態では、本方法は、グラフィカルユーザインタフェースを介して複数のセンサのうちの一組のセンサの選択を受信するステップと、一組のセンサに関連するメタデータの一部をイベントに関連するパラメータとして記憶するステップとを更に含んでもよい。
【００１７】
一部の実施形態では、イベントに関連する複数のパラメータは放射線閾値を含む。一部の実施形態では、複数のパラメータは、複数のセンサのうちの第１のセンサと第２のセンサの間の距離を含む。一部の実施形態では、複数のパラメータは、第１のセンサからの第１のセンサ測定値と第２のセンサからの第２のセンサ測定値の間の時間間隔を更に含む。一部の実施形態では、複数のパラメータは、複数のセンサのうちの第１のセンサと第２のセンサの間の距離範囲を含む。一部の実施形態では、イベントに関連する複数のパラメータは、複数のセンサのうちの第１のセンサ及び第２のセンサを通り過ぎた物体の移動速度を含む。
【００１８】
別の実施形態は、センサを監視及び管理するためのシステムを対象とする。本システムは、イベントを定義するための条件を受信するように構成されたパラメータモジュールと、複数のセンサに関連するデータを受信するように構成されたデータモジュールとを含む。本システムは、複数のセンサに関連するデータに基づいてイベントが発生したかどうかを決定するように構成されたイベント決定モジュールと、イベントの発生に基づいてインジケータを出力するように構成された視覚化モジュールとを更に含む。本システムは、イベントに関連するインジケータを送信するように構成されたメッセージングモジュールを更に含んでもよい。一部の実施形態では、イベントに関連する条件は、指定限界外で変化する複数のセンサからの一組の測定値を含む。
【００１９】
これら及び様々なその他の特徴及び利点は、以下の詳細な説明を読むことで明らかになるであろう。
【図面の簡単な説明】
【００２０】
同様の参照番号が同様の要素を指す添付図面の図において、限定するためではなく、例証として実施形態を説明する。
【図１】図１は、一実施形態に従った例示的なセンサベース検出システムの例示的な動作環境を示す。
【図２】図２は、一実施形態に従った例示的なデータフローダイアグラムを示す。
【図３】図３は、一実施形態に従った、センサからのデータを表現するためのプロセスの例示的なフローダイアグラムを示す。
【図４】図４は、一実施形態に従った、複数のセンサからのデータを表現するためのプロセスの例示的なフローダイアグラムを示す。
【図５】図５は、一実施形態に従った、そのそれぞれの地理的背景を有するセンサ関連情報を表示するように構成された例示的なグラフィカルユーザインタフェースのブロックダイアグラムを示す。
【図６】図６は、一実施形態に従った、イベントを作成するように構成された例示的なグラフィカルユーザインタフェースのブロックダイアグラムを示す。
【図７】図７は、一実施形態に従った、警報情報を表示するように構成された例示的なグラフィカルユーザインタフェースのブロックダイアグラムを示す。
【図８】図８は、一実施形態に従った、イベントを構成するように動作可能な例示的なグラフィカルユーザインタフェースのブロックダイアグラムを示す。
【図９】図９は、一実施形態に従った、イベントの詳細を閲覧するように構成された例示的なグラフィカルユーザインタフェースのブロックダイアグラムを示す。
【図１０】図１０は、一実施形態に従った、イベントアクティビティログを閲覧するように動作可能な例示的なグラフィカルユーザインタフェースのブロックダイアグラムを示す。
【図１１】図１１は、一実施形態に従った、イベントに関連するセンサの詳細を閲覧するように動作可能な例示的なグラフィカルユーザインタフェースのブロックダイアグラムを示す。
【図１２】図１２は、一実施形態に従った、イベント予約を追加するように構成された例示的なグラフィカルユーザインタフェースのブロックダイアグラムを示す。
【図１３】図１３は、一実施形態に従った、イベント予約を構成するように動作可能な例示的なグラフィカルユーザインタフェースのブロックダイアグラムを示す。
【図１４】図１４は、一実施形態に従った、イベント予約を管理するように構成された例示的なグラフィカルユーザインタフェースのブロックダイアグラムを示す。
【図１５】図１５は、一実施形態に従った、イベントパッケージをリストアップするように構成された例示的なグラフィカルユーザインタフェースのブロックダイアグラムを示す。
【図１６】図１６は、一実施形態に従った、イベントパッケージを管理するように構成された例示的なグラフィカルユーザインタフェースのブロックダイアグラムを示す。
【図１７】図１７は、一実施形態に従った、イベントパッケージを送信するように構成された例示的なグラフィカルユーザインタフェースのブロックダイアグラムを示す。
【図１８Ａ】図１８Ａは、一実施形態に従った、イベントパッケージ通信を表示する例示的なグラフィカルユーザインタフェースのブロックダイアグラムを示す。
【図１８Ｂ】図１８Ｂは、一実施形態に従った、イベントパッケージの詳細を表示するように構成された例示的なグラフィカルユーザインタフェースのブロックダイアグラムを示す。
【図１９】図１９は、一実施形態に従った、アクティビティログを閲覧するように構成された例示的なグラフィカルユーザインタフェースのブロックダイアグラムを示す。
【図２０】図２０は、一実施形態に従った、例示的なイベントログエントリを含む例示的なグラフィカルユーザインタフェースのブロックダイアグラムを示す。
【図２１】図２１は、一実施形態に従った例示的なコンピュータシステムのブロックダイアグラムを示す。
【図２２】図２２は、一実施形態に従った、別の例示的なコンピュータシステムのブロックダイアグラムを示す。
【発明を実施するための形態】
【００２１】
ここで、様々な実施形態を詳細に参照するが、その実施例は添付図面に図示されている。請求した実施形態は様々な実施形態と関連して説明するが、これらの様々な実施形態は実施形態の範囲を限定することを意図するものではないことが理解されよう。それどころか、請求した実施形態は、特許請求の範囲の技術的範囲内に含むことができる代替形態、変更形態及び均等物を包含することを意図している。更にまた、以下の詳細な説明において、請求した実施形態の完全な理解を提供するために、多数の具体的な詳細を記載する。しかしながら、請求した実施形態がこれらの具体的な詳細なしに実施可能であることは、当業者には明らかであろう。他の例では、請求した実施形態の態様を不明瞭にしないように、周知の方法、手順、構成要素、及び回路については詳細に説明されていない。
【００２２】
以下の詳細な説明の一部の部分は、手順、論理ブロック、処理、及びコンピュータメモリ内のデータビットに関する操作のその他の象徴的表現に関して提示される。これらの説明及び表現は、データ処理技術における当業者によって、他の当業者に対してそれらの成果の本質を最も効果的に伝達するために使用されている手段である。本願において、手順、論理ブロック、プロセス等は、望ましい結果につながる操作又はステップ又は命令の一貫性のあるシーケンスであると考えられる。操作又はステップは、物理量の物理的操作を利用するものである。通常、必ずしも必要ではないが、これらの量は、コンピュータシステム又は計算装置において格納され、転送され、結合され、比較され、且つ別の方法で操作されることが可能な電気又は磁気信号という形をとる。主に一般的な用法の理由で、時には、これらの信号をトランザクション、ビット、値、要素、記号、文字、サンプル、ピクセル等として参照することが便利であることがわかっている。
【００２３】
しかしながら、これら及び同様の用語の全ては適切な物理量に関連付けるものであり、これらの量に対して適用される便宜上のラベルに過ぎないことを銘記すべきである。以下の説明から明らかなように特に明記しない限り、本開示にわたり、「受信する」、「変換する」、「伝達する」、「記憶する」、「決定する」、「送信する」、「問い合わせする」、「提供する」、「アクセスする」、「関連付ける」、「構成する」、「起動する」、「カスタマイズする」、「マッピングする」、「変更する」、「分析する」、「表示する」、「更新する」、「再構成する」、「再開する」などのような用語を利用する説明は、コンピュータシステム又は同様の電子計算装置又は処理装置の動作及びプロセスを指すことを理解されたい。コンピュータシステム又は同様の電子計算装置は、コンピュータシステムメモリ、レジスタ又はその他のそのような情報記憶、伝達又は表示装置内の物理（電子）量として表されるデータを操作及び変換する。
【００２４】
本システム及び方法は、様々なアーキテクチャ及びコンフィギュレーションで実施することができることを理解されたい。例えば、本システム及び方法は、分散コンピューティング環境、クラウドコンピューティング環境、クライアントサーバ環境等の一部として実施することができる。本明細書において説明した実施形態は、１つ以上のコンピュータ、計算装置、又はその他の装置で実行される、プログラムモジュール等の、何らかの形のコンピュータ可読記憶媒体にあるコンピュータ実行可能命令という一般的状況において説明する。例えば、この例に限らないが、コンピュータ可読記憶媒体は、コンピュータ記憶媒体及び通信媒体を含み得る。一般に、プログラムモジュールは、特定のタスクを実行するか、又は特定の抽象データ型を実装する、ルーチン、プログラム、オブジェクト、構成要素、データ構造等を含む。プログラムモジュールの機能は、様々な実施形態において必要に応じて結合又は分散することができる。
【００２５】
コンピュータ記憶媒体は、非一時的である、コンピュータ可読命令、データ構造、プログラムモジュール、又はその他のデータ等の情報を記憶するためのあらゆる方法又は技術において実装される揮発性及び不揮発性のリムーバブル及び非リムーバブルメディアを含むことができる。コンピュータ記憶媒体は、ランダムアクセスメモリ（ＲＡＭ）、リードオンリーメモリ（ＲＯＭ）、電気的消去可能プログラマブルＲＯＭ（ＥＥＰＲＯＭ）、フラッシュメモリ又はその他のメモリ技術、コンパクトディスクＲＯＭ（ＣＤ−ＲＯＭ）、デジタル多用途ディスク（ＤＶＤ）又はその他の光記憶装置、磁気カセット、磁気テープ、磁気ディスク記憶装置又はその他の磁気記憶装置、或いは所望の情報を記憶するために使用できると共に、その情報を検索するためにアクセスできる任意のその他のメディアを含むことができるが、これに限定されるものではない。
【００２６】
通信媒体は、コンピュータ実行可能命令、データ構造、プログラムモジュール、或いは搬送波又はその他の移送機構のような変調されたデータ信号におけるその他のデータを具体化することができ、あらゆる情報配信媒体を含む。「変調されたデータ信号」という用語は、その特性集合のうちの１つ又は複数を有するか、又は信号内で情報を符号化するような形で変更された、信号を意味する。例えば、この例に限らないが、通信媒体は、有線ネットワーク又は直接配線接続等の有線媒体、並びに音響、ラジオ周波数（ＲＦ）、赤外線及びその他の無線媒体を含むことができる。上記のうちのいずれかの組み合わせもまた、コンピュータ可読記憶媒体の範囲内に含むことができる。
【００２７】
従って、例えば、放射線、バイオハザード等を検出することによって、我々の社会のセキュリティを高めるために複数のセンサからのデータの監視及び収集、並びに複数のセンサの管理を可能にする解決法に対する必要性が生じている。更に、セキュリティを高めるために効率的にセンサに基づく関連情報を提供する必要がある。
【００２８】
実施形態は、センサデータを視覚化及び分析すると共に、有意義な方法でセンサデータ及び分析を表示するように実施可能である。実施形態は、センサデータ（例えば、センサ測定値、センサメタデータ等）を受信し、受信したセンサデータ（例えば、センサ測定値、分析したセンサデータ、センサ測定値と分析したセンサデータの組み合わせ等）を分析し、わかりやすい形式又はフォーマットで（例えば、視覚的又は外部システムに）受信したセンサデータを表示して、重要な可能性のある受信したセンサデータに注意を向けさせるように構成される。実施形態は、パラメータ、条件、ヒューリスティック、又はそれらの任意の組み合わせに基づいて受信したセンサデータをフィルタリングして、特に重要な可能性がある受信したセンサデータを視覚的に強調及び報告するように実施可能である。実施形態は、センサ測定値がどのように関連しているかと報告に関連するセンサ測定値を決定し、それによって１つのグループとして重要な可能性があるセンサ測定値を報告することができる。実施形態は、単なる例示を目的として放射線検出及びガンマ線検出の背景の中で本明細書において説明されており、範囲を限定することを意図するものではないことを理解されたい。
【００２９】
図１は、一実施形態に従った例示的な動作環境を示す。例示的な動作環境１００は、センサベース検出システム１０２と、ネットワーク１０４と、ネットワーク１０６と、メッセージングシステム１０８と、センサ１１０〜１２０とを含む。センサベース検出システム１０２及びメッセージングシステム１０８は、ネットワーク１０４に結合される。センサベース検出システム１０２及びメッセージングシステム１０８は、ネットワーク１０４を介して通信可能に結合される。センサベース検出システム１０２及びセンサ１１０〜１２０は、ネットワーク１０６に結合される。センサベース検出システム１０２及びセンサ１１０〜１２０は、ネットワーク１０６を介して通信可能に結合される。ネットワーク１０４，１０６は、２つ以上のネットワーク（例えば、イントラネット、インターネット、ローカルエリアネットワーク（ＬＡＮ）、広域ネットワーク（ＷＡＮ）等）を含んでもよく、インターネットを含む１つ以上のネットワークの組み合わせであってもよい。一部の実施形態では、ネットワーク１０４及びネットワーク１０６は単一ネットワークであってもよい。
【００３０】
センサ１１０〜１２０は、それに関連する測定値（例えば、ガンマ放射線、振動等）を検出し、その情報を分析するためにセンサベース検出システム１０２に伝達する。センサベース検出システム１０２は、危険な可能性のあるイベントが発生したかどうかを決定するために、受信した情報を使用し、それを閾値（例えば、過去の値、ユーザが選択した値、等）と比較することができる。決定に応じて、センサベース検出システム１０２は、適切な処置（例えば、適切な人員への電子メール送信、アラームの鳴動、警報のツイート、警察署への通報、国土安全保障省への通報、等）のために、その情報をメッセージングシステム１０８に伝達することができる。従って、危険を回避するために適切な処置を講じることができる。
【００３１】
センサ１１０〜１２０は、熱型センサ（例えば、温度、熱等）、電磁センサ（例えば、金属探知機、光センサ、粒子センサ、ガイガーカウンタ、電荷結合素子（ＣＣＤ）等）、メカニカルセンサ（例えば、タコメータ、オドメータ等）、相補型金属酸化膜半導体（ＣＭＯＳ）、生物学的／化学的センサ（例えば、毒素、栄養素等）等を含む様々なセンサのうちのいずれかであってよい。センサ１１０〜１２０は更に、音響、音、振動、自動車／輸送機器、化学、電気、磁気、無線、環境、気象、水分、湿度、流量、流速、イオン化、原子、原子核、航法、位置、角度、変位、距離、速度、加速度、光、光撮像、光子、圧力、力、密度、レベル、熱型、熱、温度、近接、存在、放射線、ガイガーカウンタ、結晶系ポータル、生物化学的、圧力、空気質、水質、火災、洪水、侵入検出、動き検出、粒子数、水位、監視カメラセンサ等を含むがこれに限らない、様々なセンサのうちのいずれか又はそれらの組み合わせであってもよい。センサ１１０〜１２０は、ビデオカメラ（例えば、インターネットプロトコル（ＩＰ）ビデオカメラ、ネットワーク結合カメラ等）又は専用センサであってもよい。
【００３２】
センサ１１０〜１２０は、ある場所に固定する（例えば、監視カメラや、センサ、カメラ等）か、半固定する（例えば、移動するか又は別の半移動体に固定された携帯電話の基地局上のセンサ）か、又はモバイル（例えば、モバイル機器、スマートフォン等の一部）であってよい。センサ１１０〜１２０は、センサ１１０〜１２０のタイプによって、センサベース検出システム１０２にデータを提供することができる。例えば、センサ１１０〜１２０は、ガンマ放射線検出用に構成されたＣＭＯＳセンサであってもよい。ガンマ放射線は例えば画素を照明することができ、この放射線が電気信号に変換されてセンサベース検出システム１０２に送信される。
【００３３】
センサベース検出システム１０２は、データを受信すると共に、センサ１１０〜１２０を管理するように構成される。センサベース検出システム１０２は、ユーザが１つ以上の場所でセンサ測定値又はレベルの監視及び追跡するのを支援するように構成される。センサベース検出システム１０２は、ある場所への（例えば、管理者、オペレータ等による）新たなセンサの容易な配備を可能にすると共に、ユーザ選択、経験則等に基づいてイベントを検出するためのセンサの監視を可能にする様々な構成要素を有することができる。イベントは更に、適切な人員が措置を講じるために、メッセージングシステム１０８によって使用して（例えば、１つのセンサに関する閾値を上回るセンサ測定値、閾値を上回っている一定の近接性内の２つのセンサのセンサ測定値等に基づいて）センサベースの警報を生成することができる。センサベース検出システム１０２は、データを受信すると共に、地理的に異なる場所に位置してもよい任意の数のセンサを管理することができる。一部の実施形態では、センサベース検出システム１０２のセンサ１１０〜１２０及び構成要素は、複数のシステム（例えば、物理計算機、仮想化マシン、それらの組み合わせ等）及び広い地理的領域にわたって分散することができる。
【００３４】
センサベース検出システム１０２は、各センサ又はセンサ群に関する位置情報（例えば、会議室Ｂ、フロア２、ターミナルＡ等）及びグローバルポジショニングシステム（ＧＰＳ）座標（例えば、緯度、経度等）を追跡及び記憶することができる。センサベース検出システム１０２は、規定のイベントが発生したかどうか（例えば、検出した放射線レベルが一定の閾値を超えているかどうか、検出したバイオハザードレベルが一定の閾値を超えているかどうか等）を決定するためにセンサを監視すると共に、センサ値を追跡するように構成することができ、そうだとしたら、センサベース検出システム１０２は、危険物又は禁制品がセンサの周囲又は範囲内で起こったルート又は経路を決定することができる。例えば、固定センサに関する放射性物質の進行経路を決定して、グラフィカルユーザインタフェースを介して表示することができる。モバイルセンサ（例えば、スマートフォン、検知装置等）又は固定及びモバイルセンサが混じったものに関する放射性物質の進行経路も同様に決定して、グラフィカルユーザインタフェースを介して表示することができることを理解されたい。分析及び／又は検知値はリアルタイムで表示するか、又は後の検索のために記憶することができることを理解されたい。
【００３５】
センサベース検出システム１０２は、センサ１１０〜１２０を監視及び管理するためのグラフィカルユーザインタフェース（ＧＵＩ）を表示することができる。ＧＵＩは、センサ測定値、センサステータス、マップ上のセンサ配置等を示すように構成することができる。センサベース検出システム１０２は、記憶したセンサ値の停止、再生、一時停止、早送り、及び巻戻し機能に基づいて、過去のセンサ測定値と、センサが検出した物質又は状態の動きの再検討を可能にすることができる。センサベース検出システム１０２は、閾値（例えば、所定値又は周囲のセンサ測定値に基づく）を上回るセンサ測定値を有したセンサに対応する画像又はビデオ映像（例えば、静止画像又は動画）の視聴も可能にすることができる。例えば、センサをＧＵＩで選択することができ、センサの検出範囲内の領域に関連するビデオ映像を表示することができることによって、ユーザが危険物を輸送している個人又は人物を見ることが可能になる。一部の実施形態によれば、映像はユーザ選択に応じて表示されるか、又は特定のイベント（例えば、所定の閾値を上回る特性のセンサ又はセンサ群に関連するセンサ測定値）に応じて自動的に表示してもよい。
【００３６】
一部の実施形態では、１つ以上のセンサのセンサ測定値は、容易に閲覧するためにグラフ又はチャートで表示することができる。センサを表現するビジュアルマップベースの表示は、センサの測定値及び特定のイベントに応じた色分け、形状、アイコン、点滅速度等を含み得る、センサ表現及び／又はインジケータで表示することができる。例えば、灰色は較正センサに関連し；緑色はセンサからの正常測定値に関連し；黄色は上昇したセンサ測定値に関連し；橙色は潜在的に危険なセンサの測定値に関連し；赤色はハザード警報センサ測定値に関連してもよい。
【００３７】
センサベース検出システム１０２は、指定の閾値（例えば、所定、動的、又は環境に基づくもの）を上回るか又は経験則に基づいた警報又はセンサ測定値を決定すると共に、警報をグラフィカルユーザインタフェース（ＧＵＩ）で表示することができる。センサベース検出システム１０２は、複数のセンサからの複数の警報に関連するイベントを作成するために、ユーザ（例えば、オペレータ、管理者等）が複数のセンサをグループ化できるようにすることができる。例えば、赤色コードのイベントは、互いの２０フィート以内且つ同じ物理的空間内の３つ以上のセンサが過去の値を少なくとも４０％上回るセンサ測定値を有する場合に作成することができる。一部の実施形態では、センサベース検出システム１０２は、センサの地理的な近接性に基づいてセンサを自動的にグループ化することができる（例えば、ＬＡＸ空港のターミナルＡ内のゲート１，２，３のセンサは、互いに対するそれらの近接位置（例えば、同じ物理的空間内の物理的近接性）によってグループ化することができる）のに対して、異なるターミナルのセンサはそれらの場所が異なっているためグループ化することができない。しかしながら、特定の状況では、より詳細なレベルのターミナル、ゲート等ではなく空港でのイベントを監視するために、同じ空港内のセンサをグループ化することができる。
【００３８】
センサベース検出システム１０２は、センサ１１０〜１２０から収集された情報から作成されたイベントの決定時に基づいて、メッセージングシステム１０８に情報を送信することができる。メッセージングシステム１０８は、データベース（例えば、メッセージング、ＳＱＬ、又はその他のデータベース）、ショートメッセージサービス（ＳＭＳ）、マルチメディアメッセージサービス（ＭＭＳ）、インスタントメッセージサービス、カリフォルニア州サンフランシスコのツイッター社で利用できるツイッター（登録商標）、拡張マークアップ言語（ＸＭＬ）ベースのメッセージサービス（例えば、融合センターとの通信用）、及びジャバスクリプト（登録商標）オブジェクト記法（ＪＳＯＮ）メッセージサービス等を含み得る、１つ以上のメッセージングシステム又はプラットフォームを含むことができる。例えば、国民の情報交換モデル（ＮＩＥＭ）に対応するメッセージングは、化学・生物・放射性物質・核兵器（ＣＢＲＮ）防御の不審な活動報告（ＳＡＲ）を政府機関（例えば、地方、州、又は連邦政府）に報告するために使用することができる。
【００３９】
図２は、一実施形態に従った例示的なデータフローダイアグラムを示す。ダイアグラム２００は、センサベース検出システム（例えば、センサベース検出システム１０２）に関連するデータ（例えば、センサ測定値、生のセンサデータ、分析したセンサデータ等）の流れを表す。ダイアグラム２００は、センサ２５０〜２６０と、センサ分析プロセス２０２と、センサプロセス管理部２０４と、データストア２０６と、状態変化管理部２０８と、センサデータ表現モジュール２１０とを含む。一部の実施形態では、センサ分析プロセス２０２、センサプロセス管理部２０４、状態変化管理部２０８、及びセンサデータ表現モジュール２１０は、１つ以上のコンピューティングシステム（例えば、仮想又は物理的コンピューティングシステム）上で実行することができる。データストア２０６は、データウェアハウスの一部であってもデータウェアハウスに格納してもよい。
【００４０】
センサ２５０〜２６０は、センサ１１０〜１２０と実質的に同様であってよく、上記した様々なセンサのうちのいずれかであってよい。センサ２５０〜２６０は、センサ分析プロセス２０２にデータを（例えば、カメラストリームデータ、ビデオストリームデータ等として）提供することができる。
【００４１】
センサプロセス管理部２０４は、センサ分析プロセス２０２を起動又は開始するように構成される。センサプロセス管理部２０４は、（例えば、ユーザ等によってプリセット、構成された）構成パラメータに基づいてセンサ分析プロセス２０２の各インスタンス又はプロセスを構成するように動作することができる。一部の実施形態では、センサ分析プロセス２０２は、センサプロセス管理部２０４によって特定の時間間隔（例えば、３０秒、１分、１時間、１日、１週間、１年）にわたるセンサ測定値を編成するように構成することができる。特定の時間間隔はプリセットしても、ユーザ構成可能であってもよいことを理解されたい。特定の時間間隔は、動的（例えば、ランタイム中）又は静的に変化してもよいことを更に理解されたい。一部の実施形態では、センサ分析プロセス２０２のプロセスは、各時間間隔に対して実行することができる。センサプロセス管理部２０４は、センサ２５０〜２６０に関連するメタデータ（例えば、地理空間座標、ネットワーク設定、ユーザ入力情報等）にアクセスする又はメタデータを受信するように構成することもできる。
【００４２】
センサプロセス管理部２０４は、センサ分析プロセス２０２からの分析したセンサデータを受信する。センサプロセス管理部２０４は、分析したセンサデータを記憶するためにデータストア２０６に送信することができる。センサプロセス管理部２０４は、関連する分析したセンサデータと共にデータストア２０６に記憶するためにセンサ２５０〜２６０に関連するメタデータを更に送信することができる。一部の実施形態では、センサプロセス管理部２０４は、分析したセンサデータ及びメタデータをセンサデータ表現モジュール２１０に送信することができる。一部の実施形態では、センサプロセス管理部２０４は、センサ２５０〜２６０に関連する分析したセンサデータ及びメタデータをセンサデータ表現モジュール２１０に送信する。センサプロセス管理部２０４からセンサデータ表現モジュール２１０に伝達される情報は、メッセージベースのフォーマットであってよいことを理解されたい。
【００４３】
一部の実施形態では、センサ分析プロセス２０２は、分析したセンサデータを記憶するためにデータストア２０６に送信することができる。センサ分析プロセス２０２は、関連する分析したセンサデータと共にデータストア２０６に記憶するためにセンサ２５０〜２６０に関連するメタデータを更に送信することができる。
【００４４】
状態変化管理部２０８は、データストア２０６からの分析したセンサデータ及び関連するメタデータにアクセスする又はそれらを受信することができる。状態変化管理部２０８は、センサの状態の考えられる変化に関してセンサ測定値を分析するように構成することができる。一実施形態では、状態変化管理部２０８は、データストア２０６（図示せず）から情報を取り出す必要なく、直接センサ分析プロセス２０２からの分析したセンサデータ及び／又は関連するメタデータを受信することができることを理解されたい。
【００４５】
状態変化管理部２０８は、現在のセンサデータ及び直前のセンサデータに基づいてセンサの状態が変化したかどうかを決定することができる。範囲の内外の閾値を超えたセンサ測定値に基づいたセンサの変化は、センサデータ表現モジュール２１０に（例えば、センサ毎の基準、センサ群毎の基準等で）送信することができる。例えば、センサ２５２の状態変化は、センサ２５２が前の正常測定値から（例えば、一定の閾値以上、上昇測定値内、危険測定値内等の）上昇測定値に変化していることに基づいて決定することができる。別の例では、センサ２５０の状態は、センサ２５２が直前のセンサ測定値と同じ範囲内の上昇測定値を有することに基づいて変化していないと決定することができる。一部の実施形態では、センサの様々な状態及び関連する警報は、センサプロセス管理部２０４によって構成することができる。例えば、センサプロセス管理部２０４は、警報を生成するべきかどうかを決定するためにセンサ測定値と比較することができる閾値、範囲等を構成するために使用することができる。例えば、センサ２５０〜２６０は、５つの考えられる状態：較正、正常、上昇、潜在、警告及び危険を有し得る。センサプロセス管理部２０４の構成は、ユーザ入力に応じたものであってよいことを理解されたい。例えば、ユーザは、閾値、範囲等と、警報を生成するのに合致する条件を設定することができる。一部の実施形態では、色は各状態に関連付けることができる。例えば、濃い灰色は較正状態に関連し、緑色は標準状態に関連し、黄色は上昇状態に関連し、橙色は潜在状態に関連し、赤色は警報状態に関連してもよい。薄い灰色は、オフラインの又は機能していないセンサを表すために使用してもよい。
【００４６】
一部の実施形態では、状態変化管理部２０８は、新たな状態へのセンサの状態の変化があった場合は警報又は警報信号を生成するように構成される。例えば、警報は、標準状態から上昇状態又は潜在状態になるセンサに対して生成することができる。一部の実施形態では、状態変化管理部２０８はアクティブ状態表を含む。アクティブ状態表は、現在及び／又は直前の状態を記憶するために使用することができ、それによってアクティブ状態表はセンサの状態変化を決定するために維持される。従って、状態変化管理部２０８は、センサ状態変化に基づいてリアルタイム検知情報を提供することができる。
【００４７】
一部の実施形態では、状態変化管理部２０８は、センサ測定値が周囲の発信源からの正常センサ測定値を超えたかどうか、又はセンサの状態の変化があったかどうかを決定し、警報を生成することができる。例えば、ガンマ放射線については、状態変化管理部２０８は、ガンマ放射線センサ測定値が標準センサ状態に基づいて天然源（例えば、太陽、別の天体等）又はその他の自然環境源からか、或いは上昇、潜在、警告、又は危険センサ状態に基づいてセンサの範囲内に輸送されている放射性物質からかどうかを決定することができる。１つの例示的実施形態では、ガンマ放射線測定値が、標準のセンサ状態に基づく安全範囲内か、上昇、潜在、警告又は危険のセンサ状態に基づく安全範囲外かどうかが決定される。
【００４８】
一部の実施形態では、個々の警報を外部システム（例えば、メッセージングシステム１０８）に送信することができる。例えば、１分、２分、又は１０分の時間帯内に特定の建物で発生した１つ以上の警報は、メッセージングシステムに送信することができる。警報が伝達される時間帯は、プリセットしてもシステムオペレータによって選択してもよいことを理解されたい。一実施形態では、警報が伝達される時間帯は、動的（例えば、リアルタイムで）又は静的に設定することができる。
【００４９】
センサデータ表現モジュール２１０は、センサプロセス管理部２０４又はデータストア２０６からの分析したセンサデータ及び関連するメタデータにアクセスする又はそれらを受信することができる。センサデータ表現モジュール２１０は、状態変化管理部２０８によって決定されたセンサ状態変化に基づいて警報を（例えば、センサ毎の基準、ロケーション毎の基準等で）更に受信することができる。
【００５０】
センサデータ表現モジュール２１０は、センサ、センサ状態、警報、センサ測定値等を表すグラフィカルユーザインタフェースを表示するように動作することができる。センサデータ表現モジュール２１０は、センサ測定値がマップ上で視覚的に特定の条件を満たした時、例えば、センサ測定値が閾値を超えた時、一定の範囲内に入った時、一定の閾値を下回った時等に発生する１つ以上の警報を表示することができる。従って、センサデータ表現モジュール２１０は、特定の条件をセンサが満たしたこと、例えば、生物学的に危険な可能性のある物質が検出されたこと、高いガンマ放射線が検出されたこと等をユーザ（例えば、オペレータ、管理者等）に視覚的、聴覚的等に通知することができる。ユーザは、センサ分析プロセス２０２が生成した様々なデータ（例えば、ｍＳｖ値、バイオハザード指示レベル値等）を調べて、警報を起動させた元のセンサ分析プロセス２０２のデータ（例えば、生のストリームデータ、変換されたストリームデータ、前処理されたセンサデータ等）を含む適切なイベントケースファイルを生成する機会を得ることができる。センサデータ表現モジュール２１０は、監視領域内を移動する何らかの物質（例えば、放射性物質、生物学的危険性物質等）又は監視領域内で発生するその他の状況の認識を得るために（例えば、オペレータ、又は管理者によって）使用することができる。
【００５１】
一部の実施形態では、センサデータ表現モジュール２１０は、センサ、警報、及びイベントを地理的に示すために使用可能な位置指定機能を含む。位置指定機能は、グラフィカルユーザインタフェース（ＧＵＩ）内のマップ上のそれぞれの位置に様々なセンサを描くために使用することができる。ＧＵＩは、様々なズームレベル等で詳細なフロアプランを有する豊富なビジュアルマップを可能にすることができる。センサデータ表現モジュール２１０は、センサデータ、警報、及びイベントを配布（例えば、その他のユーザ、安全当局等）するためにメッセージングシステム（例えば、メッセージングシステム１０８）に送信することができる。
【００５２】
１つ以上のセンサからの警報は、１つのイベントとしてグループ化、集約、表現及び／又は表示することができる。従って、イベントは、１つ以上のセンサからの１つ以上の警報に関連付けることができる。イベントは、１つ以上の警報に適用された条件、ルール、パラメータ、又はヒューリスティックに基づいて決定することができる。例えば、単一の警報は、センサ測定値のフルーク又はブリップである可能性がある。しかしながら、複数の警報が発生した場合、より重要な何かが起こった可能性が高い。例えば、同じ領域内、或いは互いの一定の付近又は施設内で発生した複数の警報は、危険物がその領域に存在していることを示唆する可能性がある。別の例では、同じ建物内且つ同じフロア上で直前の１分以内に発生した５つの警報は、１つのイベントに集約することができる。イベントは、外部システムに送信するか、グラフィカルユーザインタフェース上でハイライトすることができる。
【００５３】
一部の実施形態では、オペレータは、１つの警報又は一連の警報を１つの「イベント」としてマークすることが可能となる。センサデータ表現モジュール２１０は、選択したセンサ群からの複数の警報に関連するイベントを作成するために、ユーザ（例えば、オペレータ、管理者等）が、例えば、テキストブロックフィールド、マウス選択、ドロップダウンメニュー等を介して複数のセンサをグループ化できるようにすることができる。例えば、赤色コードのイベントは、互いの２０フィート以内且つ同じ物理的空間内の３つ以上のセンサが過去の値を少なくとも４０％上回るセンサ測定値を有する場合に作成することができる。一部の実施形態では、センサベース検出システム１０２は、センサの地理的な近接性に基づいてセンサを自動的にグループ化することができる（例えば、ＬＡＸ空港のターミナルＡ内のゲート１，２，３のセンサは、互いに対するそれらの近接位置（例えば、同じ物理的空間内の物理的近接性）によってグループ化することができる）のに対して、異なるターミナルのセンサはそれらの場所が異なっているためグループ化されない。しかしながら、特定の状況では、より詳細なレベルのターミナル、ゲート等ではなく空港でのイベントを監視するために、同じ空港内のセンサをグループ化することができる。センサ及びイベントをグループ化するために、その他の基準、例えば、センサタイプ、センサ測定値、他のセンサに対するセンサ近接性、センサ位置、センサを通り過ぎた構造の共通パス等を使用してもよいことを、更に理解されたい。
【００５４】
センサの表現（例えば、アイコン、画像、形状、行、セル等）は、マップ上に表示してもよく、イベントに関連付けるような選択が使用可能であってもよい。例えば、特定の付近の範囲内の５つの関連センサに関する５つの警報を表示することができ、オペレータは、５つのセンサを（例えば、投げ縄ツール選択、クリック＆ドラッグ選択、クリック選択等を介して）選択（例えば、ハイライト、クリック等）して、センサを１つのイベントとしてグループ化することができる。５つのセンサからの警報は、１つのイベントとして表示又は送信することができる。５つのセンサのグループ内の１つ以上のセンサが条件を満たす（例えば、特定の放射線レベルに達する、放射線測定値の範囲を超える等）ことに基づいて１つのイベントが起動されるように、５つのセンサのグループに条件を適用することもできる。
【００５５】
一部の実施形態では、センサデータ表現モジュール２１０は、１つのイベントに関連するセンサを自動的に選択することができる。例えば、同じ建物内の互いの１０メートル半径内のセンサは、センサからの警報が１つのイベントとして示されるように自動的にグループ化することができる。
【００５６】
センサデータ表現モジュール２１０は、オペレータによって、例えば、イベントを決定する際にセンサプロセス管理部２０４／状態変化管理部２０８を構成するために使用することができる入力として、グラフィカルユーザインタフェースを介して１つ以上の条件、パラメータ、又はヒューリスティックにアクセスする又はそれらを受信することができる。１つ以上の条件、パラメータ、又はヒューリスティックは、センサデータ表現モジュール２１０、センサプロセス管理部２０４、状態変化管理部２０８のグラフィカルユーザインタフェースを介して受信することができる。センサデータ表現モジュール２１０は、分析したセンサデータ、センサメタデータ、及び１つ以上の条件、パラメータ、又はヒューリスティックの評価（例えば、比較、アルゴリズム等）に基づいて、イベントが発生したかどうかを決定することができる。例えば、建物の特定のフロア上のセンサは、センサの関連する位置メタデータに基づいて１つのイベントとして選択することができる。
【００５７】
別の例では、パラメータ、条件、又はヒューリスティックは、センサのメタデータが実質的に同様の値を有するか特定の値の範囲内である場合及び／又はセンサが特定の一時的な時間帯（例えば、センサデータが分析される数分又は数時間）内で関連付けられている場合のものであってよい。例示的なパラメータとしては、これらに限定されないが、建物名、フロアレベル、部屋番号、所定範囲（例えば、センサ間の距離、センサの付近等）内の地理空間座標、センサベンダー、センサタイプ、センサ特性、センサ構成等が挙げられる。
【００５８】
ヒューリスティックは、地理的範囲（例えば、２０〜３０メートル範囲、より広い範囲等内のセンサ）を含んでもよく、或いは移動時間又は特定のセンサ間の距離等に基づくものであってもよい。例えば、人が検問所を通過するのに通常は３０分かかる場合であって、検問所内の何らかのセンサが１分間隔又は３０分間隔で警報状態を有する場合、ヒューリスティックに基づくイベントを報告することができる。３０分間の上昇又は警報センサ状態は、更なる調査に値する可能性がある特に高い放射線レベルに対応する場合がある。
【００５９】
ヒューリスティックは、センサ間の距離及びセンサの近接性を更に含んでもよい。即ち、ヒューリスティックは、センサの時間、距離、及び近接性に基づくものであってよい。例えば、２つの隣接するセンサが、放射性物質が両センサを作動させないように、且つセンサを通って移動する人物が両センサの横を通って歩くのに少なくとも１０分かかることになるように互いから十分に遠く離れている場合、１０分以内に特定の順序で両センサに基づく警報が生成されると、関連するイベントが発生する。
【００６０】
イベント及び関連するパラメータ、条件等は、センサの地理的な近接性に基づくものであってよい。従って、イベントは、特定領域の特定のセンサにユーザ（例えば、オペレータ、管理者等）に注意を集中させることを可能にすることができる。ロケーション等を含む、センサに関連するメタデータは、イベント決定に使用することができる。例えば、単一のセンサベースの警報は、異常、背景放射等によって生じさせることができるのに対し、互いの１０メートル以内の３つ、５つ、又は７つのセンサからの警報は、更に分析する又は更にそれに注意を向けさせるべき危険な状態（例えば、危険物、危険な雲等）を示すことができる。
【００６１】
イベントが発生したことの決定に基づいて、センサデータ表現モジュール２１０によってインジケータを出力することができる。一部の実施形態では、インジケータを別のシステム（例えば、メッセージングシステム１０８）に対して視覚的に、聴覚的に、又は信号を介して出力することができる。
【００６２】
一部の実施形態では、イベントは、イベントインジケータを送信すべき場所を指定するパラメータによって構成することができる。例えば、イベントインジケータはＧＵＩ内に表示してもよく、又は外部システム（例えば、メッセージングシステム１０８）に送信してもよい。
【００６３】
インジケータは、１つ以上のセンサからの１つ以上の警報、又は複数のセンサからの警報に基づく１つのイベントに基づくものであってよい。イベントは、手動で（例えば、ＧＵＩ、コマンドラインインタフェース等を介して）又は自動的に（例えば、センサベース検出システム１０２によって決定された自動グループ化に基づいて）選択されたセンサ群、或いはヒューリスティックに基づくものであってよい。一部の実施形態では、インジケータ（例えば、警報、イベント、メッセージ等）は、メッセージングシステム（例えば、メッセージングシステム１０８又はメッセージングモジュール２１４）に出力することができる。例えば、インジケータは、人（例えば、オペレータ、管理者、保安官等）又は人の集団（例えば、保安部、警察署、消防署、国土安全保障等）に通知するために出力することができる。
【００６４】
センサデータ表現モジュール２１０は、イベントが発生した後に「再生する」ための様々なツールを有することができる。センサデータ表現モジュール２１０は、オペレータがセンサデータ表現モジュール２１０を外部実体に警報を送信するように構成することを更に可能にすることができる。例えば、オペレータは、（例えば、連邦政府、別の官庁等の）ローカル融合センターに警報及びイベントを転送するようにＸＭＬインタフェースを構成することができる。オペレータは、警報又はイベントを送信するようにＳＭＳゲートウェイやツイッター（登録商標）アカウントさえも更に構成することができる。
【００６５】
一部の実施形態では、センサベース検出システム（例えば、センサベース検出システム１０２）の機能は、イベントの決定に応じて呼び出すことができる。例えば、危険な物質又は状態の移動経路の決定時に、メッセージを送信してもよく、センサ測定値に関連するビデオを表示する、アラームを信号で伝える、等でもよい。
【００６６】
図３は、一実施形態に従った、センサからのデータを表現するためのプロセスの例示的なフローダイアグラムを示す。図３は、センサに関連するパラメータ及びデータに基づいたイベントを決定するためのプロセスを表す。
【００６７】
ブロック３０２では、イベントに関連するパラメータが受信される。イベントに関連するパラメータは、イベントが発生したかどうかを決定するために、１つ以上のセンサ警報を評価するための１つ以上の条件、ヒューリスティック等を含むことができる。パラメータは、グラフィカルユーザインタフェースを介して、且つユーザ入力に応じて、受信することができることを理解されたい。一部の実施形態では、パラメータは、センサ情報、例えば、センサタイプ及びモデル、センサ位置、センサ範囲、センサメタデータ等に基づいて自動的に受信することができることを、更に理解されたい。
【００６８】
ブロック３０４では、センサに関連するデータが受信される。受信したデータは、上記のように、センサデータ（例えば、生のセンサデータ）、分析したセンサデータ、及び／又はセンサ状態変化情報（例えば、警報）であってよい。上記のように、センサに関連するメタデータを（例えば、データストア、データウェアハウス等から）更に受信することができる。
【００６９】
ブロック３０６では、イベントが発生したかどうかが決定される。イベントが発生したかどうかは、ブロック３０４でのセンサ関連データの受信、及びセンサ関連データとブロック３０２で受信したパラメータとの比較に基づいて決定することができる。例えば、パラメータは、空港内の検問所のロケーションであってもよく、更に許容可能な放射線指示閾値であってもよい。イベントは、空港の検問所のセンサが警告又は危険状態に変化した、例えば、許容可能な放射線指示閾値又は範囲を超えた場合に発生するように決定することができる。
【００７０】
ブロック３１０では、センサに関連するデータの表現が表示される。表現は、センサの状態に関連付けることができる。例えば、センサを表すアイコンは、標準センサ測定値に関連する緑色から、上昇センサ測定値に関連する黄色に更新することができる。
【００７１】
ブロック３２０では、イベントに関連するインジケータが表示される。一部の実施形態では、イベントに関連するインジケータは、ポップアップウィンドウとして、ステータスバーで、点滅又は明滅するセンサアイコン等によって、表示することができる。インジケータは、更に、警報に関連する情報（例えば、センサデータ、分析したデータ、及び／又はセンサメタデータ）を表示する警報エリア（例えば、図５の警報エリア５５０）内に表示することができる。一実施形態では、センサに関連するデータ（例えば、センサ測定値、生のセンサデータ等）の表現は、イベントの発生（図示せず）にかかわらず、ブロック３２０でのイベントに関連するインジケータの表示と共に表示することができる。
【００７２】
ブロック３２２では、イベントに関連する情報が記憶される。一部の実施形態では、イベントに関連する情報は、非一時的媒体に記憶される。一部の実施形態では、時間情報、センサ位置情報、センサデータ、分析したセンサデータ、センサメタデータ、又はそれらの任意の組み合わせを含み得る、イベントのレコードを作成及び記憶することができる。
【００７３】
任意のブロック３３０では、センサの選択が受信される。一部の実施形態では、センサは、グラフィカルユーザインタフェース内のセンサの表現（例えば、アイコン）を介して選択することができる。例えば、ブロック３３０においてセンサを選択することができ、ユーザは、ブロック３０２において選択したセンサに関連するイベントを作成するための情報を入力するように促される。
【００７４】
任意のブロック３３２では、センサに関連するメタデータの一部分が、イベントに関連するパラメータとして記憶される。例えば、空港の検問所にあるセンサを選択することができ、ロケーション（例えば、経度及び緯度）を含む、センサに関連するメタデータをイベントに関連するパラメータとして記憶することができる。位置パラメータは、イベントを報告する前に、選択したセンサの特定の近接性にあるその他のセンサが警報状態に入ったかどうかを決定するために使用することができる。
【００７５】
図４は、一実施形態に従った、複数のセンサからのデータを表現するためのプロセスの例示的なフローダイアグラムを示す。図４は、複数のセンサに関連する複数のパラメータ及びデータに基づいたイベントを決定するためのプロセスを表す。
【００７６】
ブロック４０２では、イベントに関連する複数のパラメータが受信される。イベントに関連する複数のパラメータは、上記のように、イベントが発生したかどうかを決定するために、１つ以上のセンサ警報を評価するための１つ以上の条件、ヒューリスティック等を含むことができる。複数のパラメータは、グラフィカルユーザインタフェースを介して、且つユーザ入力に応じて、受信することができることを理解されたい。一部の実施形態では、複数のパラメータは、センサ情報、例えば、センサタイプ及びモデル、センサ位置、センサ範囲、センサメタデータ等に基づいて自動的に受信することができることを、更に理解されたい。
【００７７】
ブロック４０４では、複数のセンサに関連するデータが受信される。受信したデータは、上記のように、センサデータ（例えば、生のセンサデータ）、分析したセンサデータ、及び／又はセンサ状態変化情報（例えば、警報）であってよい。上記のように、複数のセンサに関連するメタデータを（例えば、データストア、データウェアハウス等から）更に受信することができる。
【００７８】
ブロック４０６では、イベントが発生したかどうかが決定される。イベントが発生したかどうかは、ブロック４０４での複数のセンサに関連するデータの受信、及び複数のセンサに関連するデータとブロック４０２で受信した複数のパラメータとの比較に基づいて決定することができる。例えば、複数のパラメータは、空港内の検問所のロケーション及び距離範囲であってよい。イベントは、所定の距離範囲内の空港の検問所の複数のセンサが警報状態に変化した、例えば、許容可能な放射線指示閾、範囲等を超えた場合に発生するように決定される。
【００７９】
ブロック４１０では、複数のセンサに関連するデータの１つ以上の表現が表示される。表現は、複数のセンサの状態に関連付けることができる。例えば、複数のセンサを表すアイコンは、標準センサ測定値に関連する緑色から、上昇センサ測定値に関連する黄色に更新することができる。
【００８０】
ブロック４２０では、イベントに関連するインジケータが表示される。一部の実施形態では、イベントに関連するインジケータは、ポップアップウィンドウとして、ステータスバーで、点滅又は明滅するセンサアイコン等によって、表示することができる。インジケータは、更に、警報に関連する情報（例えば、センサデータ、分析したデータ、及び／又はセンサメタデータ）を表示する警報エリア（例えば、図５の警報エリア５５０）内に表示することができる。一実施形態では、センサに関連するデータ（例えば、センサ測定値、生のセンサデータ等）の表現は、イベントの発生（図示せず）にかかわらず、ブロック４２０でのイベントに関連するインジケータの表示と共に表示することができる。
【００８１】
ブロック４２２では、イベントに関連する情報が記憶される。一部の実施形態では、イベントに関連する情報は、非一時的媒体に記憶される。一部の実施形態では、時間情報、センサ位置情報、センサデータ、分析したセンサデータ、センサメタデータ、又はそれらの任意の組み合わせを含み得る、イベントのレコードを作成及び記憶することができる。
【００８２】
任意のブロック４３０では、複数のセンサのうちの一組のセンサの選択が受信される。一部の実施形態では、一組のセンサは、グラフィカルユーザインタフェース内のセンサの表現（例えば、アイコン）を介して選択することができる。例えば、ブロック４３０において、センサの周囲にボックスを描くことによって、センサを選択することができ、ユーザは、ブロック４０２において選択したセンサに関連するイベントを作成するための情報を入力するように促される。
【００８３】
任意のブロック４３２では、一組のセンサに関連するメタデータの一部分が、イベントに関連する複数のパラメータとして記憶される。例えば、空港の検問所にある複数のセンサを選択することができ、ロケーション（例えば、経度及び緯度）を含む、センサに関連する任意のメタデータをイベントに関連するパラメータとして記憶することができる。位置パラメータは、イベントを報告する前に、選択したセンサの特定の近接性又は距離範囲にあるその他のセンサが警報状態に入ったかどうかを決定するために使用することができる。
【００８４】
図５は、一実施形態に従った、そのそれぞれの地理的背景を有するセンサ関連情報を表示するように構成された例示的なグラフィカルユーザインタフェースのブロックダイアグラムを示す。例示的なグラフィカルユーザインタフェース（ＧＵＩ）５００は、認識ボタン５０２と、イベントメニュー５０４と、管理メニュー５０６と、ユーザアイコン５０８と、位置エリア５１０と、地理的背景エリア５３８と、警報エリア５５０とを含む。
【００８５】
認識ボタン５０２は、位置エリア５１０、地理的背景エリア５３８、及び警報エリア５５０を含むことができる、グラフィカルユーザインタフェースの表示を呼び出すように動作することができる。イベントメニュー５０４は、イベント関連グラフィカルユーザインタフェース（例えば、図８〜１９）を呼び出すために使用することができる。管理メニュー５０６は、センサデータ及びグラフィカルユーザインタフェース構成の視覚化を構成するための管理機能へのアクセスを呼び出すために使用することができる。ユーザアイコン５０８は、ユーザ関連機能（例えば、ログアウト、プリファレンス等）にアクセスするように構成される。一部の実施形態では、ユーザアイコン５０８は、ユーザ名（例えば、電子メールアドレス）を含むことができる。
【００８６】
位置エリア５１０は、ロケーションを選択、検索、及び保存するために使用することができる。位置エリア５１０は、位置検索エリア５２０と、センサリストアップエリア５３０と、保存位置検索エリア５４０と、位置保存ボタン５４２と、保存位置選択ボタン５４４と、保存位置削除ボタン５４６とを含むことができる。
【００８７】
位置検索エリア５２０は、センサベース検出システム（例えば、センサベース検出システム１０２）内のロケーションの検索を可能にする。ロケーションは、センサベース検出システムの管理構成要素を介して作成及び構成してもよく、各々が１つ以上のセンサを有してもよい。
【００８８】
センサリストアップエリア５３０は、センサに関連するロケーション、センサ、及び時間間隔の階層図を表示することができる。センサリストアップエリア５３０は、センサ測定値に基づいて（例えば、上記のように）センサ状態を示すセンサ状態インジケータを更に含むことができる。センサリストアップエリア５３０は、組織内、例えば、オフィスビル内、倉庫内、空港内、製造現場内等のロケーションの各々をリストアップすることができる。
【００８９】
保存位置検索エリア５４０は、直前に選択及び保存されたロケーションの選択（例えば、ドロップダウンメニュー又はその他のグラフィカルユーザインタフェース要素）を可能にすることができる。ロケーションは、オペレータによって迅速又は直接にアクセスしてロケーションをカテゴリー化するために保存することができる。一部の実施形態では、ユーザは、任意の数のロケーションを選択すると共に、フィルタリングに使用することができる固有名を選択したロケーションに与えることが可能になる。一部の実施形態では、ユーザは、グラフィカルユーザインタフェース上に表示されたマップ上に、ドラッグ＆ドロップ機能を介してロケーションを追加又は削除することが可能になる。
【００９０】
位置保存ボタン５４２は、保存すべきロケーションを保存位置リスト（例えば、保存位置エリア５４０を介してアクセス可能）に保存することができる。保存位置選択ボタン５４４は、位置リストアップエリア５３０内に表示するための保存位置を選択するために使用することができる。保存位置削除ボタン５４６は、保存位置エリア５４０から保存位置を削除するために使用することができる。
【００９１】
地理的背景エリア５３８は、地理的背景（例えば、マップ、衛星画像、それらの組み合わせ等）における１つ以上のセンサを表示するために使用することができる。地理的背景エリア５３８は、センサアイコン５１４〜５１８及び凡例５４８を含む。センサアイコン５１４〜５１８は、各々がセンサを表現することができ、センサ状態に基づいた色で（例えば、上記のように）視覚的に表現することができる。センサアイコン５１４〜５１８は、センサの集約数を表現することができる。例えば、センサ５１４は、５つの異なるセンサの集約であってよいが、マップ上のズームアウト機能によって１つとして表現することができる。センサアイコン５１４〜５１８は選択することができ、選択に応じて、センサ測定値（例えば、ｍＳＶで）、時間間隔、時間間隔に基づくセンサ状態、センサに関連するメタデータ等を含む、更なるセンサ情報を表示することができる。
【００９２】
凡例５４８は、センサアイコン５１４〜５１８に使用される色分けを表すために使用することができる。一部の実施形態では、凡例の各エントリは、マップから特定の警報状態のセンサを除去するために選択可能であってよい。例えば、ユーザ（例えば、オペレータ、管理者等）は、非アクティブ状態（例えば、薄い灰色）であるセンサを除去することができる。
【００９３】
警報エリア５５０は、警報情報を表示するために使用することができる。一部の実施形態では、警報情報は、警報のロケーション（例えば、ゲート及びターミナル）、時間間隔、及びタイムスタンプを含む。
【００９４】
図６は、一実施形態に従った、イベントを作成するように構成された例示的なグラフィカルユーザインタフェースのブロックダイアグラムを示す。図６は、イベントを作成するため、イベントに関連するパラメータを構成するため、及びイベントに関連するセンサを選択するための例示的なグラフィカルユーザインタフェース（ＧＵＩ）を表す。例示的なグラフィカルユーザインタフェース（ＧＵＩ）６００は、イベント名エリア６０２と、イベント保存ボタン６０４と、イベント削除ボタン６０６と、キャンセルボタン６０８と、パラメータタイプ列６１０と、パラメータ特性列６１２と、管理列６１４と、例示的なパラメータ６２０と、パラメータ追加ボタン６２２と、センサリストエリア６３０と、センサ追加ボタン６３４と、センサ削除ボタン６３６と、選択センサエリア６４０とを含む。一部の実施形態では、例示的なグラフィカルユーザインタフェース６００は、イベントメニュー５０４のイベント作成メニュー項目の選択に応じて表示することができる。
【００９５】
イベント名エリア６０２は、イベントに割り当てられる（例えば、名称ラベル１０２４として表示される、データストアに記憶される、等）名前のエントリ及び編集に使用することができる。イベント保存ボタン６０４は、イベント及び関連するイベントデータを保存する機能を呼び出すために使用することができる。一部の実施形態では、イベントデータは、グラフィカルユーザインタフェース６００を介して構成されたようにイベントに関連するパラメータ及び選択したセンサを含むことができる。
【００９６】
イベント削除ボタン６０６は、イベントを削除する、及び／又は、部分的又は完全に例示的なグラフィカルユーザインタフェース６００を介したイベントを削除するために使用することができる。キャンセルボタン６０８は、グラフィカルユーザインタフェース６００を介してイベントの構成をキャンセルするために使用することができる。一部の実施形態では、キャンセルボタン６０８のアクティブ化に応じて、別のグラフィカルユーザインタフェース（例えば、グラフィカルユーザインタフェース９００、グラフィカルユーザインタフェース５００等）を表示することができる。
【００９７】
例示的なパラメータ６２０は、パラメータタイプ列６１０、パラメータ特性列６１２、及び管理列６１４によって表示することができる。パラメータタイプ列６１０は、条件、ルール、ヒューリスティック等を含み得る、様々なタイプのパラメータを表示するように構成される。一部の実施形態では、パラメータタイプとしては、これらに限定されないが、範囲、値、或いは近接性又は距離が挙げられる。パラメータ特性列６１２は、センサデータ（例えば、生のセンサデータ、分析したセンサデータ、センサメタデータ等）に対する評価に基づいてイベントに関するパラメータを定義することができるパラメータ特性を表示するように構成される。例えば、範囲パラメータの例示的なパラメータ特性は、３００ｍＳｖ〜９００ｍＳｖの範囲を含み得る。別の例では、値パラメータの例示的なパラメータ特性は、１Ｓｖ（又は１０００ｍＳｖ）以上であってよい。別の例では、近接性パラメータの例示的なパラメータ特性は、５０メートル以内のセンサ、同じロケーション内のセンサ等であってよい。実施形態は、単なる例示を目的として放射線検出及びガンマ線検出の背景の中で本明細書において説明されており、範囲を限定することを意図するものではないことを理解されたい。
【００９８】
管理列６１４は、パラメータ及びパラメータ特性の管理用のボタン又はその他の要素を表示するために使用することができる。一部の実施形態では、管理列６１４は、編集ボタン６２４及び削除ボタン６２６を含む。編集ボタン６２４は、ユーザが、イベントのパラメータタイプ及びパラメータ特性（例えば、範囲、値、及び近接性特性を構成する）を編集することができるように構成される。削除ボタン６２６は、ユーザがイベントからパラメータを削除することができるように構成される。
【００９９】
パラメータ追加ボタン６２２は、イベントにパラメータを追加するように構成される。センサリストエリア６３０は、１つ以上のセンサのリストを表示するように構成される。選択センサエリア６４０は、センサエリア６３０内で選択されてセンサ追加ボタン６３４を介して選択センサエリア６４０に追加された１つ以上のセンサのリストを表示するために使用することができる。センサ追加ボタン６３４は、イベントへの１つ以上のセンサの追加を可能にするように構成され、それに応じて、センサは選択センサエリア６４０内に表示される。センサ削除ボタン６３６は、イベント及び選択センサエリア６４０からの１つ以上のセンサの削除を可能にするように構成される。
【０１００】
例示的なグラフィカルユーザインタフェース５００と同じ参照番号を有する例示的なグラフィカルユーザインタフェース６００の要素は、例示的なグラフィカルユーザインタフェース５００に関して本明細書において説明したのと実質的に同様の機能を実行することができる。
【０１０１】
図７は、一実施形態に従った、警報情報を表示するように構成された例示的なグラフィカルユーザインタフェースのブロックダイアグラムを示す。例示的なグラフィカルユーザインタフェース（ＧＵＩ）７００は、警報エリア（例えば、警報エリア５５０）から選択された警報７１２を表す。例示的なＧＵＩ７００は、警報ログエリア７０２及び選択警報エリア７２０を含むことができる。
【０１０２】
警報ログエリア７０２は、警報情報を（例えば、赤色の警報アイコンによって）表示するために使用することができる。一部の実施形態では、警報情報は、警報のロケーション（例えば、ゲート及びターミナル）、時間間隔、及びタイムスタンプを含む。従って、警報ログエリア７０２は、（例えば、マップ、衛星画像等に）表示された警報の概観を提供することができる。警報ログエリア７０２内の警報の各々は、選択可能であってよい。
【０１０３】
選択警報エリア７２０は、３つのアイコン７２４，７３４及び７３６と共に警報ログエリア７０２内に表示された警報情報を含むことができる。第１のアイコン７２４は、選択警報エリア７２０の選択された警報に基づいてイベントを作成することができる。第２のアイコン７３４は、警報を（例えば、地理的背景エリア７３８上に）視覚的に表すことができる。第３のアイコン７３６は、警報ログエリア７０２から警報を削除することができる。実施形態は、複数の警報の選択に基づいてイベントを作成するのを支援することができる。
【０１０４】
図８は、一実施形態に従った、イベントを構成するように動作可能な例示的なグラフィカルユーザインタフェースのブロックダイアグラムを示す。例示的なグラフィカルユーザインタフェース（ＧＵＩ）８００は、開始時間エリア８０２と、終了時間エリア８１２と、ページ当たりレコード数セレクタ８２２と、検索エリア８３４と、全選択ボタン８３６と、全選択解除ボタン８３８と、ロケーション列８４２と、センサ名列８４８と、前ボタン８５８と、既存イベント追加ボタン８６６と、新規イベント作成ボタン８６８とを含む。
【０１０５】
開始時間エリア８０２は、イベントの開始時間（例えば、イベントがアクティブになる時）を構成するために使用することができる。終了時間エリア８１２は、イベントの終了時間を構成するために使用することができる。
【０１０６】
一部の実施形態では、終了時間エリア８１２及びイベントの終了時間は任意であってよい。終了日／時間のないイベントは、制限がない可能性があり、ユーザが、警報が発生した時にイベントに更なる警報を追加することができる。
【０１０７】
ページ当たりレコード数セレクタ８２２は、ページ当たりに表示するレコードの数を設定するように構成される。一部の実施形態では、各レコードは、センサ又は警報に関連付けることができる。検索エリア８３４は、表示するセンサの検索を呼び出すように構成され、選択に使用することができる。一部の実施形態では、警報を有するセンサを検索することができる。
【０１０８】
全選択ボタン８３６は、ロケーション列８４２及びセンサ名列８４８を介して表示されたセンサの各々の選択に使用することができる。全選択解除ボタン８３８は、ロケーション列８４２及びセンサ名列８４８を介して表示されたセンサの各々の選択解除に使用することができる。ロケーション列８４２は、センサ名列８４８内に表示されたセンサに関連するロケーションを表示するために使用することができる。センサ名列８４８は、センサに関連する名前を表示するために使用することができる。一部の実施形態では、センサ名列８４８は、ＲＳＴ名又は放射線センサターミナル名とラベル付けされる。
【０１０９】
前ボタン８６０は、ページ当たりレコード数セレクタ８２２に基づいて前の組のセンサにアクセスするために使用することができる。次ボタン８５８は、ページ当たりレコード数セレクタ８２２に基づいて次の組のセンサにアクセスするために使用することができる。既存イベント追加ボタン８６６は、既存のイベントに選択されたセンサを追加するために使用することができる。新規イベント作成ボタン８６８は、イベントの作成を呼び出すために使用することができ、イベントは、イベントメニュー５０４を介して全てのイベントメニュー項目を閲覧することができる。
【０１１０】
図９は、一実施形態に従った、イベントの詳細を閲覧するように構成された例示的なグラフィカルユーザインタフェースのブロックダイアグラムを示す。図９は、イベントに関連するイベントチケットを閲覧するためのグラフィカルユーザインタフェース（ＧＵＩ）を表す。イベントチケットは、ライフサイクルを有すると共に、ステータスを含む特性を有するイベントに関連するオブジェクトである。イベントチケットは、イベントを追跡すると共に、イベントを１つ以上の組織単位（例えば、省や人）に割り当てるために使用することができる。例示的なＧＵＩ９００は、イベントチケットラベル９１２と、新規イベント９１８と、ページ当たりレコード数セレクタ９１４と、キー列９２１と、名称列９２２と、ステータス列９２３と、作成列９２４と、更新列９２５と、クローズ列９２６と、開始時間列９２７と、終了時間列９２８と、アクション列９２９と、次ボタン９３０と、前ボタン９３２とを含む。
【０１１１】
イベントチケットラベル９１２は、１つ以上のイベントチケットが表示されていることを示すために使用することができる。新規イベントボタン９１８は、新規のイベントチケットを作成するために使用することができる。ページ当たりレコード数セレクタ９１４は、ページ当たりに表示されるイベントチケットの数を設定するために使用することができる。キー列９２１は、イベントチケットに関連するキー又はユニーク識別子を表示するために使用することができる。名称列９２２は、イベントチケットの名称（例えば、イベントの名前）を表示するために使用することができる。ステータス列９２３は、イベントチケットのステータスを表示するために使用することができる。一部の実施形態では、ステータスは、オープン、クローズ、保留中、又は進行中に設定することができる。作成列９２４は、イベントチケットが作成された日付／時間を表示するために使用することができる。更新列９２５は、イベントチケットがごく最近更新された日付／時間を表示するために使用することができる。
【０１１２】
クローズ列９２６は、イベントチケットがクローズされた日付／時間を表示するために使用することができる。開始時間列９２７は、イベントチケットに関連するイベントの開始時間を表示するために使用することができる。終了時間列９２８は、イベントチケットに関連するイベントの終了時間を表示するために使用することができる。アクション列９２９は、イベントチケットに関連するアクション（例えば、ボタン、ドロップダウン項目等）を表示するために使用することができる。一部の実施形態では、アクション列は、イベントログの表示を呼び出すために使用可能なログ表示ボタンと、イベント、例えば、イベントの発生につながるセンサ測定値及びそれぞれの分析したデータの巻戻しの表示を呼び出すために使用可能な巻戻しボタンとを含む。
【０１１３】
前ボタン９３２は、ページ当たりレコード数セレクタ９１４に基づいてイベントチケットの前のページにアクセスするために使用することができる。次ボタン９３０は、ページ当たりレコード数セレクタ８２２に基づいてセンサのイベントセットの次のページにアクセスするために使用することができる。
【０１１４】
例示的なグラフィカルユーザインタフェース５００と同じ参照番号を有する例示的なグラフィカルユーザインタフェース９００の要素は、例示的なグラフィカルユーザインタフェース５００に関して本明細書において説明したのと実質的に同様の機能を実行することができる。
【０１１５】
図１０は、一実施形態に従った、アクティビティログを閲覧するように動作可能な例示的なグラフィカルユーザインタフェースのブロックダイアグラムを示す。例示的なグラフィカルユーザインタフェース（ＧＵＩ）１０００は、イベントラベル１００１と、名称ラベル１０２４と、記述エリア１０１２と、アクティビティログボタン１００２と、パッケージボタン１００４と、センサ時間セグメントボタン１００６と、警報イベント予約ボタン１００８と、ステータスエリア１０１０と、ページ当たりレコード数セレクタ１０２２と、ログ追加ボタン１０２８と、検索エリア１０３８と、日付列１０３２と、ユーザ列１０３４と、コメント列１０３６と、前ボタン１０４６と、次ボタン１０４８とを含む。
【０１１６】
イベントラベル１００１は、例示的なＧＵＩ１０００によって表示されたイベント及び関連するログエントリのキー又はその他の識別子を示すために使用することができる。名称ラベル１０２４は、関連するログエントリが表示されているイベントの名前を示すために使用することができる。記述エリア１０１２は、イベントの記述を表示するために使用することができる。アクティビティログボタン１００２は、（例えば、図９に示すように）イベントに関連するアクティビティログエントリの表示を呼び出すために使用することができる。パッケージボタン１００４は、イベントパッケージに関連するＧＵＩ（例えば、図１５）の表示を呼び出すために使用することができる。センサ時間セグメントボタン１００６は、センサ時間セグメントに関連するグラフィカルユーザインタフェース（例えば、図１１）の表示を呼び出すために使用することができる。警報イベント予約ボタン１００８は、イベント予約に関連するＧＵＩ（例えば、図１２）の表示を呼び出すために使用することができる。ステータスエリア１０１０は、イベントチケットのステータス情報を表示するために使用することができる。一部の実施形態では、ステータスエリア１０１０は、イベントチケットステータスと、イベントチケット作成日／時間と、イベント更新日／時間と、イベント開始日／時間と、イベント終了日／時間と、イベントチケットのクローズに使用可能なクローズボタンとを含むことができる。
【０１１７】
ページ当たりレコード数セレクタ１０２２は、ページ当たりに表示するイベントログレコードの数を設定するように構成される。一部の実施形態では、各イベントログレコードは、イベントに関連するアクティビティ（例えば、作成、構成、更新）に関連付けられる。ログ追加ボタン１０２８は、イベントに関連するログエントリ又はレコード（例えば、図１９〜２０参照）を追加するために使用することができる。例えば、ユーザは、カスタムコメントメッセージの有無にかかわらずカスタムログエントリを入力することができる。検索エリア１０３８は、イベントに関連するログレコードを検索するために使用することができる。
【０１１８】
日付列１０３２は、イベントに関連するログレコードの日付を表示するために使用することができる。ユーザ列１０３４は、イベントチケットアクティビティに関連するユーザを表示するために使用することができる。例えば、ユーザをイベントチケットに割り当てることができる一方、その他のユーザは、イベントチケットに関連するアクティビティ、例えば、イベントチケットステータスの変更、カスタムメッセージの追加等を実行することができる。コメント列１０３６は、イベントチケットに関連するコメント又は注記を表示するために使用することができる。前ボタン１０４６は、ページ当たりレコード数セレクタ１０２２上の前の組のイベントログレコードにアクセスするために使用することができる。次ボタン１０４８は、ページ当たりレコード数セレクタ１０２２に基づいて次の組のイベントログレコードにアクセスするために使用することができる。
【０１１９】
例示的なグラフィカルユーザインタフェース５００と同じ参照番号を有する例示的なグラフィカルユーザインタフェース９００の要素は、例示的なグラフィカルユーザインタフェース５００に関して本明細書において説明したのと実質的に同様の機能を実行することができる。
【０１２０】
図１１は、一実施形態に従った、イベントに関連するセンサの詳細を閲覧するように動作可能な例示的なグラフィカルユーザインタフェースのブロックダイアグラムを示す。例示的なグラフィカルユーザインタフェース（ＧＵＩ）１１００は、イベントチケットに関連する時間セグメントを表示するためのＧＵＩを表す。例示的なグラフィカルユーザインタフェース１１００は、ページ当たりレコード数セレクタ１１２２と、検索エリア１１１８と、センサ列１１３２と、開始列１１２４と、終了列１１２５と、追加者列１１２６と、追加日列１１２７と、アクション列１１２８と、時間セグメント行１１０２と、削除ボタン１１３８と、前ボタン１１４６と、次ボタン１１４８とを含む。イベントは、複数のセンサ時間セグメントを含むことができる。時間セグメントは、センサデータ（例えば、生のセンサデータ、分析したセンサデータ、センサメタデータ等）がイベントに記憶されるか又は関連付けられる間の時間の長さである。例えば、イベントは２つの時間セグメントを有してもよく、一方の時間セグメントはイベント前のセンサに関連付けられ、他方の時間セグメントはイベント後のセンサに関連付けられる。時間セグメントは、ユーザにより選択することができる。一部の実施形態では、オペレータは、要望通りに時間セグメントを追加又は削除することができる。一部の実施形態では、時間セグメント終了日／時間は任意であってよく、終了日／時間のないイベントは制限がないと考えられる。
【０１２１】
ページ当たりレコード数セレクタ１１２２は、ページ当たりに表示する時間セグメントレコードの数を設定するように構成される。検索エリア１１１８は、イベントチケットに関連するセンサ時間セグメントを検索するために使用することができる。センサ列１１３２は、センサ識別子（例えば、名前、ＭＡＣアドレス等）を表示するために使用することができる。開始列１１２４は、イベントチケットに関連するセンサ時間セグメントの開始時間を表示するために使用することができる。終了列１１２５は、イベントチケットに関連するセンサ時間セグメントの終了時間を表示するために使用することができる。
【０１２２】
追加者列１１２６は、イベントチケットに時間セグメントを追加したユーザを表示するために使用することができる。追加日列１１２７は、時間セグメントをイベントチケットに追加した日付／時間を表示するために使用することができる。アクション列１１２８は、イベント時間セグメントに関連するアクションを表示するために使用することができる。時間セグメント行１１０２は、列１１２４〜１１３２に対応するデータを含む。一部の実施形態では、時間セグメント行１１０２は、イベント（例えば、又はイベントチケット、その他のイベント追跡オブジェクト等）から時間セグメントを削除するのに使用可能な削除ボタン１１３８を含むことができる。前ボタン１１４６は、ページ当たりレコード数セレクタ１１２２に基づいてイベントチケットに関連する前の組の時間セグメントにアクセスするために使用することができる。次ボタン１１４８は、ページ当たりレコード数セレクタ１１２２に基づいてイベントチケットに関連する次の組の時間セグメントにアクセスするために使用することができる。
【０１２３】
例示的なグラフィカルユーザインタフェース５００及び例示的なグラフィカルユーザインタフェース１０００と同じ参照番号を有する例示的なグラフィカルユーザインタフェース１１００の要素は、例示的なグラフィカルユーザインタフェース５００及び例示的なグラフィカルユーザインタフェース１０００に関して本明細書において説明したのと実質的に同様の機能を実行することができる。
【０１２４】
図１２は、一実施形態に従った、イベント予約を追加するように構成された例示的なグラフィカルユーザインタフェースのブロックダイアグラムを示す。例示的なグラフィカルユーザインタフェース（ＧＵＩ）１２００は、警報イベント予約の表示用のＧＵＩを表す。一部の実施形態では、警報イベント予約を通して更なる時間セグメントを（例えば、自動的に、動的に、等）追加することができる。例示的なＧＵＩ１２００は、予約追加ボタン１２２８と、ページ当たりレコード数１２２２と、検索エリア１２１８と、ルール列１２３２と、開始列１２２４と、終了列１２２５と、作成者列１２２６と、作成日列１２２７と、アクション列１２３８と、前ボタン１２４６と、次ボタン１２４８とを含む。
【０１２５】
予約追加ボタン１２２８は、新規予約の追加用のＧＵＩ（例えば、図１３）の表示を呼び出すために使用することができる。ページ当たりレコード数セレクタ１２２２は、ページ当たりに表示する警報イベント予約の数を設定するように構成される。検索エリア１２１８は、警報イベント予約の検索に使用することができる。ルール列１２３２は、警報イベント予約に関連する１つ以上のルールを表示するために使用することができる。開始列１２２４は、警報イベント予約に関連する開始日及び時間を表示するために使用することができる。終了列１２２５は、警報イベント予約に関連する終了日／時間を表示するために使用することができる。作成者列１２２６は、警報イベント予約を作成したユーザ又は実体を表示するために使用することができる。作成日列１２２７は、警報イベント予約が作成された日付／時間を表示するために使用することができる。アクション列１２３８は、表示された警報イベント予約に対して実行されることになるアクション（例えば、削除）を表示するために使用することができる。前ボタン１２４６は、ページ当たりレコード数セレクタ１２２２に基づいてイベントチケットに関連する前の組の警報イベント予約にアクセスするために使用することができる。次ボタン１２４８は、ページ当たりレコード数セレクタ１２２２に基づいてイベントチケットに関連する次の組の警報イベント予約にアクセスするために使用することができる。
【０１２６】
例示的なグラフィカルユーザインタフェース５００及び例示的なグラフィカルユーザインタフェース１０００と同じ参照番号を有する例示的なグラフィカルユーザインタフェース１２００の要素は、例示的なグラフィカルユーザインタフェース５００及び例示的なグラフィカルユーザインタフェース１０００に関して本明細書において説明したのと実質的に同様の機能を実行することができる。
【０１２７】
図１３は、一実施形態に従った、イベント予約を構成するように動作可能な例示的なグラフィカルユーザインタフェースのブロックダイアグラムを示す。例示的なグラフィカルユーザインタフェース（ＧＵＩ）１３００は、イベント予約を構成するためのＧＵＩを表す。例示的なＧＵＩ１３００は、開始日エリア１３０２と、終了日エリア１３１２と、予約ルールエリア１３２２と、キャンセルボタン１３２６と、保存ボタン１３２８とを含む。
【０１２８】
開始日エリア１３０２は、警報イベント予約の開始日及び／又は時間を設定するために使用することができる。終了日エリア１３１２は、警報イベント予約の終了日及び／又は時間を設定するために使用することができる。警報イベント予約の終了日及び／又は時間は、任意であってよい。予約ルールエリア１３２２は、イベント及び関連する警報イベント予約に関連するルールを選択するために使用することができる。一部の実施形態では、予約ルールエリア１３２２は、ルールセレクタエリア１３２４を含む。一部の実施形態では、ルールセレクタエリア１３２４の選択に応じて、ルールリストアップエリア１３３８を表示することができる。ルールリストアップエリア１３３８は、ルールのリスト１３５８を表示すると共に、ルールの検索に使用可能な検索エリア１３４８を含むことができる。キャンセルボタン１３２６は、警報イベント予約の表示を呼び出すために使用することができる。保存ボタン１３２８は、イベントチケットに対するルール予約を保存するために使用することができる。
【０１２９】
図１４は、一実施形態に従った、イベント予約を管理するように構成された例示的なグラフィカルユーザインタフェースのブロックダイアグラムを示す。例示的なグラフィカルユーザインタフェース（ＧＵＩ）１４００は、（例えば、図１３を介した）警報イベント予約の作成後のＧＵＩを表す。例示的なＧＵＩ１４００は、警報イベント予約行１４０２及び削除ボタン１４０４を含む。
【０１３０】
警報イベント予約行１４０２は、警報イベント予約の特性を表示するために使用することができる。図示のように、警報イベント予約行１４０２は、ルール列１２３２、開始列１２２４、作成者列１２２６、作成日列１２２７、アクション列１２３８内の削除ボタン１４０４の値を含む。終了列１２２５は、上記のように、警報イベント予約の制限がないためブランク値で示されている。削除ボタン１４０４は、警報イベント予約行１４０２の警報イベント予約を削除するための機能を呼び出すために使用することができる。
【０１３１】
例示的なグラフィカルユーザインタフェース５００、例示的なグラフィカルユーザインタフェース１０００、及び例示的なグラフィカルユーザインタフェース１２００と同じ参照番号を有する例示的なグラフィカルユーザインタフェース１４００の要素は、例示的なグラフィカルユーザインタフェース５００、例示的なグラフィカルユーザインタフェース１０００、及び例示的なグラフィカルユーザインタフェース１２００に関して本明細書において説明したのと実質的に同様の機能を実行することができる。
【０１３２】
図１５は、一実施形態に従った、イベントパッケージをリストアップするように構成された例示的なグラフィカルユーザインタフェースのブロックダイアグラムを示す。例示的なグラフィカルユーザインタフェース（ＧＵＩ）１５００は、イベントパッケージに関連する情報を閲覧するためのＧＵＩを表す。パッケージは、各イベントに対して作成することができる。パッケージは、判定目的で使用することができ、各センサ時間セグメントからの生のセンサデータを含む。例示的なＧＵＩ１５００は、パッケージ作成ボタン１５０８と、ページ当たりレコード数セレクタ１５２２と、検索エリア１５１８と、ファイル列１５２３と、開始列１５２４と、終了列１５２６と、ステータス列１５２７と、アクション列１５３８と、前ボタン１５４６と、次ボタン１５４８とを含む。
【０１３３】
パッケージ作成ボタン１５０８は、イベントパッケージ又は判定パッケージを作成するための機能を呼び出すために使用することができる。一部の実施形態では、この機能は、イベントの時間セグメントに関連する生のセンサデータを収集するためにセンサプロセス管理部（例えば、センサプロセス管理部２０４）に通信する機能を含むことができる。センサプロセス管理部は、ダウンロード又はアクセスに利用可能なデータを収集、パッケージ、及び作成することができる。パッケージは、ある目的のためのセンサベースシステムの情報の任意の組み合わせの収集である。目的は、後の検索、教習、判定、刑事訴追、訴訟等を含むことができる。
【０１３４】
ページ当たりレコード数セレクタ１５２２は、ページ当たりに表示するイベントパッケージエントリの数を設定するように構成される。検索エリア１５１８は、イベントパッケージの検索に使用することができる。ファイル列１５２３は、イベントパッケージに関連する１つ以上のファイル名を表示するために使用することができる。開始列１５２４は、イベントパッケージの開始日／時間（例えば、イベントパッケージ内のイベントに関連するセンサベース情報の開始）を表示するために使用することができる。
【０１３５】
終了列１５２６は、イベントパッケージの終了日／時間（例えば、イベントパッケージ内のイベントに関連するセンサベース情報の終了）を表示するために使用することができる。ステータス列１５２７は、イベントパッケージのステータスを表示するために使用することができる。一部の実施形態では、ステータス列１５２７は、実質的に完了しているイベントパッケージに関するステータス値「パッケージ」、又はパッケージの進行中であるイベントパッケージに関するステータス値「進行中」を有することがある。
【０１３６】
アクション列１５３８は、パッケージに関連するオプションを表示するために使用することができる。一部の実施形態では、オプションは、イベントパッケージの詳細の閲覧又はイベントパッケージの（例えば、電子メール、ファイル転送等を介した）送信を含むことができる。前ボタン１５４６は、ページ当たりレコード数セレクタ１５２２に基づいてイベントチケットに関連する前の組のイベントパッケージにアクセスするために使用することができる。次ボタン１５４８は、ページ当たりレコード数セレクタ１５２２に基づいてイベントチケットに関連する次の組のイベントパッケージにアクセスするために使用することができる。
【０１３７】
例示的なグラフィカルユーザインタフェース５００及び例示的なグラフィカルユーザインタフェース１０００と同じ参照番号を有する例示的なグラフィカルユーザインタフェース１５００の要素は、例示的なグラフィカルユーザインタフェース５００及び例示的なグラフィカルユーザインタフェース１０００に関して本明細書において説明したのと実質的に同様の機能を実行することができる。
【０１３８】
図１６は、一実施形態に従った、イベントパッケージを管理するように構成された例示的なグラフィカルユーザインタフェースのブロックダイアグラムを示す。例示的なグラフィカルユーザインタフェース（ＧＵＩ）１６００は、イベントパッケージの作成後の例示的なＧＵＩを表す。例示的なＧＵＩ１６００は、イベントパッケージ行１６０２及びアクションボタン１６４８を含む。
【０１３９】
イベントパッケージ行１６０２は、イベントパッケージの特性を表示するために使用することができる。図示のように、イベントパッケージ行１６０２は、ファイル列１５２２、開始列１５２４、終了列１５２６、ステータス列１５２７、アクション列１５３８の値を含む。アクション列１５３８は、イベントパッケージの詳細を閲覧するための機能及びその他のアクションを開始するためのボタン１６４８を含む。
【０１４０】
例示的なグラフィカルユーザインタフェース５００、例示的なグラフィカルユーザインタフェース１０００、及び例示的なグラフィカルユーザインタフェース１５００と同じ参照番号を有する例示的なグラフィカルユーザインタフェース１６００の要素は、例示的なグラフィカルユーザインタフェース５００、例示的なグラフィカルユーザインタフェース１０００、及び例示的なグラフィカルユーザインタフェース１５００に関して本明細書において説明したのと実質的に同様の機能を実行することができる。
【０１４１】
図１７は、一実施形態に従った、イベントパッケージを送信するように構成された例示的なグラフィカルユーザインタフェースのブロックダイアグラムを示す。例示的なグラフィカルユーザインタフェース（ＧＵＩ）１７００は、イベントパッケージの送信を含む更なるアクションを表す。例示的なＧＵＩ１７００は、パッケージ送信オプション１７４８及びパッケージ送信ウィンドウ１７５０を含む。
【０１４２】
アクションボタン１６４８の一部を選択することができ、パッケージ送信メニュー項目１７４８が表示される。パッケージ送信メニュー項目１７４８は、パッケージウィンドウ１７５０の表示を呼び出すために使用することができる。パッケージ送信ウィンドウ１７５０は、電子メールアドレス又は何らかのその他の宛先／ロケーション（例えば、ファイルサーバ、アーカイブシステム等）へのイベントパッケージの送信を呼び出すために使用することができる。パッケージ送信ウィンドウ１７５０は、電子メールアドレスエリア１７５８、キャンセルボタン１７６６、及び保存ボタン１７６８を含む。電子メールアドレスエリア１７５８は、電子メールアドレスの入力及び編集に使用することができる。保存ボタン１７６８は、電子メールアドレスエリア１７５８内に入力されたロケーションへのイベントパッケージの送信を呼び出すために使用することができる。キャンセルボタン１７６６は、イベントパッケージＧＵＩ（例えば、図１６）の表示を呼び出すために使用することができる。電子メールを介したイベントパッケージの送信は、例示的且つ非限定的であることを理解されたい。例えば、イベントパッケージは、ファックス送信、印刷、表示等をすることができる。
【０１４３】
図１８Ａは、一実施形態に従った、イベントパッケージ通信を表示する例示的なグラフィカルユーザインタフェースのブロックダイアグラムを示す。例示的なグラフィカルユーザインタフェース（ＧＵＩ）１８００は、イベントパッケージリンクを有する電子メールを表す。例示的なＧＵＩ１８００は、電子メールサブジェクト１８０２、送信者及び受信者情報１８０４、及びメッセージ１８０６を含む。電子メールサブジェクト１８０２は、イベントに関連するキー又はその他の識別子を含むことができる。送信者及び受信者情報１８０４は、電子メールの送信者及び受信者を示すことができる。メッセージ１８０６は、イベント名及びイベントパッケージへのリンク（例えば、ハイパーリンク、ファイル転送プロトコル（ＦＴＰ）リンク）を含むことができ、それによって受信者がイベントパッケージをダウンロードすることが可能になる。
【０１４４】
図１８Ｂは、一実施形態に従った、イベントパッケージの詳細を表示するように構成された例示的なグラフィカルユーザインタフェースのブロックダイアグラムを示す。例示的なグラフィカルユーザインタフェース（ＧＵＩ）１８３０は、パッケージが送信された人を含むパッケージの詳細を表す。一部の実施形態では、例示的なＧＵＩ１８３０は、アクション列１４３８内の詳細表示オプションの選択に応じて表示することができる。例示的なＧＵＩ１８３０は、パッケージ詳細１８３８と、ページ当たりレコード数セレクタ１８２２と、検索エリア１８１８と、送信日列１８５２と、送信者列１８５４と、送信先列１８５６と、前ボタン１８４６と、次ボタン１８４８と、クローズボタン１８７８とを含む。
【０１４５】
パッケージ詳細１８３８は、パッケージステータス（例えば、送信済、未送信、進行中、等）、パッケージのファイル名、イベントパッケージの開始日／時間、イベントパッケージの終了日／時間、作成日／時間、作成者（例えば、ユーザ名、電子メールアドレス等）、最終更新日／時間、及び更新者（例えば、ユーザ名、電子メールアドレス等）を含む。
【０１４６】
ページ当たりレコード数セレクタ１８２２は、ページ当たりに表示するイベントパッケージ送信レコードの数を設定するように構成される。検索エリア１８１８は、イベントパッケージ詳細の検索に使用することができる。
【０１４７】
送信日列１８５２は、イベントパッケージが送信された日付／時間を表示するために使用することができる。送信者列１８５４は、イベントパッケージの送信を行なった送信者（例えば、ユーザ名、電子メールアドレス等）を表示するために使用することができる。送信先列１８５６は、イベントパッケージ又はイベントパッケージへのポインタ（例えば、リンク）が送信された宛先（例えば、ユーザ名、電子メールアドレス等）を表示するために使用することができる。
【０１４８】
前ボタン１８４６は、ページ当たりレコード数セレクタ１８２２に基づいて前の組のイベントパッケージ詳細にアクセスするために使用することができる。次ボタン１８４８は、ページ当たりレコード数セレクタ１８２２に基づいて次の組のイベントパッケージ詳細にアクセスするために使用することができる。クローズボタン１８７８は、例示的なグラフィカルユーザインタフェース１８３０をクローズするために使用することができる。
【０１４９】
図１９は、一実施形態に従った、アクティビティログを閲覧するように構成された例示的なグラフィカルユーザインタフェースのブロックダイアグラムを示す。例示的なグラフィカルユーザインタフェース（ＧＵＩ）１９００は、ユーザがカスタムログメッセージを追加することができるログ追加ボタン１０２８の選択に応じて表示することができる。
【０１５０】
例示的なＧＵＩ１９００は、新規イベントログウィンドウ１９５０を含む。新規イベントログウィンドウ１９５０は、カスタムメッセージエリア１９５８と、キャンセルボタン１９６６と、保存ボタン１９６８とを含む。カスタムメッセージエリア１９５８は、イベントログに追加するテキスト又はその他の情報の入力及び編集に使用することができる。保存ボタン１９６８は、イベントに関連するアクティビティログへのカスタムメッセージエリア１９５８内のデータの保存を呼び出すために使用することができる。キャンセルボタン１９６６は、新規イベントログウィンドウ１９５０をクローズするために使用することができる。
【０１５１】
例示的なグラフィカルユーザインタフェース５００及び例示的なグラフィカルユーザインタフェース１０００と同じ参照番号を有する例示的なグラフィカルユーザインタフェース１８００の要素は、例示的なグラフィカルユーザインタフェース５００及び例示的なグラフィカルユーザインタフェース１０００に関して本明細書において説明したのと実質的に同様の機能を実行することができる。
【０１５２】
図２０は、一実施形態に従った、例示的なイベントログエントリを含む例示的なグラフィカルユーザインタフェースのブロックダイアグラムを示す。図１９は、自動イベントログエントリ（例えば、センサベース検出システム１０２によって生成された）及びカスタムログエントリ（例えば、新規イベントログウィンドウ１９５０を介して作成された）を含むことができる例示的なイベントログエントリを表す。例示的なグラフィカルユーザインタフェース（ＧＵＩ）２０００は、日付列１０３２と、ユーザ列１０３４と、コメント列１０３６と、例示的なログエントリ２００２〜２０１２とを含む。
【０１５３】
例示的なログエントリ２００２は、例示的なカスタムメッセージログエントリ（例えば、新規イベントログウィンドウ２０５０を介して作成された）を示す。例示的なログエントリ２００４は、例示的なステータス変化ログエントリ（例えば、オープンから判定へのイベントステータス変化）を示す。例示的なログエントリ２００６は、例示的なパッケージ送信ログエントリ（例えば、例示的なグラフィカルユーザインタフェース１７００を介して送信された）を示す。例示的なログエントリ２００８は、例示的なパッケージ作成ログエントリ（例えば、パッケージ作成ボタン１５０８を介して作成された）を示す。例示的なログエントリ２０１０は、イベント発生ログエントリ（例えば、１つ以上の警報がイベントパラメータ、条件、ルール、又はヒューリスティックを満たした時）を示す。例示的なログエントリ２０１２は、例示的なイベント作成ログエントリ（例えば、例示的なグラフィカルユーザインタフェース８００を介して作成された）を示す。
【０１５４】
例示的なグラフィカルユーザインタフェース９００と同じ参照番号を有する例示的なグラフィカルユーザインタフェース２０００の要素は、例示的なグラフィカルユーザインタフェース９００に関して本明細書において説明したのと実質的に同様の機能を実行することができる。
【０１５５】
図２１を参照すると、一実施形態に従った例示的なコンピュータシステムのブロックダイアグラムが示されている。図２１に関して、上記の実施形態、例えば図１〜２０において説明した実施形態を実施するための例示的なシステムモジュールが示されている。一部の実施形態では、システムは、汎用コンピューティングシステム環境、例えばコンピューティングシステム環境２１００を含む。コンピューティングシステム環境２１００としては、これらに限定されないが、サーバ、デスクトップコンピュータ、ラップトップ、タブレット、モバイル機器、及びスマートフォンが挙げられる。その最も基本的な構成では、コンピューティングシステム環境２１００は、少なくとも１つの処理ユニット２１０２と、コンピュータ可読記憶媒体２１０４とを一般的に含む。コンピューティングシステム環境の厳密な構成及びタイプに応じて、コンピュータ可読記憶媒体２１０４は、揮発性（例えばＲＡＭ）、非揮発性（例えばＲＯＭ、フラッシュメモリ等）又はその２つの何らかの組み合わせであってよい。実行時にコンピュータ可読記憶媒体２１０４の各部分は、上記の実施形態に従ったセンサ及びセンサ分析プロセス（例えば、プロセス３００〜４００）の監視及び管理を容易にする。
【０１５６】
更に、様々な実施形態において、コンピューティングシステム環境２１００はその他の機構／機能を有することもできる。例えば、コンピューティングシステム環境２１００は、磁気又は光ディスク又はテープを含むがこれに限らない、追加記憶装置（リムーバブル及び／又は非リムーバブル）を含むこともできる。そのような追加記憶装置は、リムーバブルストレージ２１０８及び非リムーバブルストレージ２１１０によって図示されている。コンピュータ記憶媒体は、コンピュータ可読命令、データ構造、プログラムモジュール、又はその他のデータ等の情報を記憶するためのあらゆる方法又は技術において実装される揮発性及び不揮発性のリムーバブル及び非リムーバブルメディアを含む。コンピュータ可読媒体２１０４、リムーバブルストレージ２１０８及び非リムーバブルストレージ２１１０は、全てコンピュータ記憶媒体の例である。コンピュータ記憶媒体は、ＲＡＭ、ＲＯＭ、ＥＥＰＲＯＭ、フラッシュメモリ又はその他のメモリ技術、拡張メモリ（例えば、ＵＳＢスティック、コンパクトフラッシュ（登録商標）カード、ＳＤカード）、ＣＤ−ＲＯＭ、デジタル多用途ディスク（ＤＶＤ）又はその他の光記憶装置、磁気カセット、磁気テープ、磁気ディスク記憶装置又はその他の磁気記憶装置、或いは所望の情報を記憶するために使用できると共に、コンピューティングシステム環境２１００によってアクセスできる任意のその他のメディアを含むが、これに限定されるものではない。いずれの種類のコンピュータ記憶媒体もコンピューティングシステム環境２１００の一部となり得る。
【０１５７】
一部の実施形態では、コンピューティングシステム環境２１００は、それをその他の装置と通信させることができる通信接続２１１２を更に含むことができる。通信接続２１１２は、通信媒体の一例である。通信媒体は、一般的に、コンピュータ可能命令、データ構造、プログラムモジュール、或いは搬送波又はその他の移送機構のような変調されたデータ信号におけるその他のデータを具体化し、あらゆる情報配信媒体を含む。「変調されたデータ信号」という用語は、その特性集合のうちの１つ又は複数を有するか、又は信号内で情報を符号化するような形で変更された、信号を意味する。例えば、この例に限らないが、通信媒体は、有線ネットワーク又は直接配線接続等の有線媒体、並びに音響、ラジオ周波数（ＲＦ）、赤外線及びその他の無線媒体を含む。本明細書において用いられるコンピュータ可読媒体という用語は、記憶媒体及び通信媒体の両方を含む。
【０１５８】
通信接続２１１２は、ファイバチャネル、小型コンピュータシステムインタフェース（ＳＣＳＩ）、Ｂｌｕｅｔｏｏｔｈ（登録商標）（ブルートゥース）、イーサネット（登録商標）、Ｗｉ−Ｆｉ（ワイファイ）、赤外線通信協会規格（ＩｒＤＡ）、ローカルエリアネットワーク（ＬＡＮ）、無線ローカルエリアネットワーク（ＷＬＡＮ）、インターネット等の広域ネットワーク（ＷＡＮ）、シリアル、及びユニバーサルシリアルバス（ＵＳＢ）を含むがこれに限らない様々なネットワーク型上でコンピューティングシステム環境２１００を通信させることができる。通信接続２１１２が接続する様々なネットワーク型は、伝送制御プロトコル（ＴＣＰ）、ユーザデータグラムプロトコル（ＵＤＰ）、インターネットプロトコル（ＩＰ）、リアルタイムトランスポートプロトコル（ＲＴＰ）、リアルタイムトランスポート制御プロトコル（ＲＴＣＰ）、ファイル転送プロトコル（ＦＴＰ）、及びハイパーテキスト転送プロトコル（ＨＴＴＰ）を含むがこれに限らない複数のネットワークプロトコルを実行することができることを理解されたい。
【０１５９】
更なる実施形態では、コンピューティングシステム環境２１００は、キーボード、マウス、ターミナル又はターミナルエミュレータ（いずれもテルネット、ＳＳＨ、ＨＴＴＰ、ＳＳＬ等を介して直接接続されるか又は遠隔アクセス可能である）、ペン、音声入力装置、タッチ入力装置、リモートコントロール等のような入力装置２１１４を有することもできる。ディスプレイ、ターミナル又はターミナルエミュレータ（いずれもテルネット、ＳＳＨ、ＨＴＴＰ、ＳＳＬ等を介して直接接続されるか又は遠隔アクセス可能である）、スピーカ、ＬＥＤ等のような出力装置２１１６もまた含まれる。
【０１６０】
一実施形態では、コンピュータ可読記憶媒体２１０４は、センサベース検出モジュール２１２０を含む。センサベース検出モジュール２１２０は、複数のセンサ及び関連する分析の監視及び管理用に構成される（例えば、センサベース検出システム１０２）。センサベース検出モジュール２１２０は、センサ測定値表現モジュール２１２２を含む。センサ測定値表現モジュール２１２２は、センサ測定値の収集、報告、及び表示を管理するように構成される。
【０１６１】
センサ測定値表現モジュール２１２２は、パラメータモジュール２１２４と、データモジュール２１２６と、イベント決定モジュール２１２８と、視覚化モジュール２１３０と、メッセージングモジュール２１３２とを含む。パラメータモジュール２１２４は、上記のように、イベントを定義するために１つ以上の条件、ルール、パラメータ、及びヒューリスティックを受信するように構成される。イベントに関連する条件は、指定限界外で変化する複数のセンサからの一組の測定値を含み得る。データモジュール２１２６は、複数のセンサに関連するデータを受信するように構成される。イベント決定モジュール２１２８は、上記のように、複数のセンサに関連するデータ及びイベントに関連する条件に基づいてイベントが発生したかどうかを決定するように構成される。視覚化モジュール２１３０は、イベントの発生に基づいてインジケータを出力するように構成される。メッセージングモジュール２１３２は、イベントに関連するインジケータを（例えば、メッセージングシステム１０８に）送信するように構成される。
【０１６２】
ここで図２２を参照すると、一部の実施形態に従った別の例示的なコンピュータシステムのブロックダイアグラムが示されている。図２２は、本発明を実施するのに適したコンピュータシステム２２００のブロックダイアグラムを表す。コンピュータシステム２２００は、中央処理装置２２１４、システムメモリ２２１６（一般的にＲＡＭだが、ＲＯＭ、フラッシュＲＡＭ等も含まれる）、入出力コントローラ２２１８等のコンピュータシステム２２００の主要なサブシステムと、音声出力インタフェース２２２２を介したスピーカシステム２２２０等の外部オーディオ装置と、ディスプレイアダプタ２２２６を介したディスプレイ画面２２２４、シリアルポート２２２８及び２２３０、キーボード２２３２（キーボードコントローラ２２３３とインタフェース接続される）、ストレージインタフェース２２３４、フロッピディスク２２３８を受け入れるように機能するフロッピディスクユニット２２３６、ファイバチャネルネットワーク２２６０と接続するように機能するホストバスアダプタ（ＨＢＡ）インタフェースカード２２３５Ａ、小型コンピュータシステムインタフェース（ＳＣＳＩ）バス２２３６に接続するように機能するホストバスアダプタ（ＨＢＡ）インタフェースカード２２３５Ｂ、及び光ディスク２２４２を受け入れるように機能する光ディスクドライブ２２４０等の外部装置と接続するバス２２１２を含む。また、マウス２２２７（又はシリアルポート２２２８を介してバス２２１２に結合されるその他のポイント＆クリック装置）、モデム２２４６（シリアルポート２２３０を介してバス２２１２に結合される）、及びネットワークインタフェース２２４８（バス２２１２に直接結合される）も含まれる。
【０１６３】
ネットワークインタフェース２２４８としては、１つ以上のイーサネット（登録商標）ポート、無線ローカルエリアネットワーク（ＷＬＡＮ）インタフェース等が挙げられるが、これらに限定されるものではないことを理解されたい。システムメモリ２２１６は、センサ測定値の収集、センサ測定値の報告、及びセンサ測定値の表示を管理するように構成されるセンサ測定値表現モジュール２２５０を含む。一実施形態によれば、センサ測定値表現モジュール２２５０は、様々なタスクを実行するためのその他のモジュール（例えば、図２１のモジュール）を含むことができる。センサ測定値表現モジュール２２５０は、システム内のどこに位置してもよく、システムメモリ２２１６に限定されないことを理解されたい。このように、システムメモリ２２１６内にあることは、単なる例示であって、実施形態の範囲を限定することを意図するものではない。例えば、センサ測定値表現モジュール２２５０の各部は、中央処理装置２４１４及び／又はネットワークインタフェース２２４８内にあってもよいが、それらに限定されるものではない。
【０１６４】
バス２２１２は、中央処理装置２２１４と、上記したように、リードオンリーメモリ（ＲＯＭ）又はフラッシュメモリ（どちらも図示せず）、及びランダムアクセスメモリ（ＲＡＭ）（図示せず）を含み得るシステムメモリ２２１６との間のデータ通信を可能にする。ＲＡＭは、一般に、オペレーティングシステムとアプリケーションプログラムがロードされるメインメモリである。ＲＯＭ又はフラッシュメモリは、数あるコードの中で、周辺構成要素との相互作用のような基本ハードウェア操作を制御する基本入出力システム（ＢＩＯＳ）を含むことができる。コンピュータシステム２２００に常駐するアプリケーションは、一般に、ハードディスク装置（例えば、固定ディスク２２４４）、光ドライブ（例えば、光ドライブ２２４０）、フロッピディスクユニット２２３６、又はその他の記憶媒体等のコンピュータ可読媒体上に記憶され、それを介してアクセスされる。更に、アプリケーションは、ネットワークモデム２２４６又はネットワークインタフェース２２４８を介してアクセスされた時にアプリケーション及びデータ通信技術に従って変調された電子信号の形にすることができる。
【０１６５】
ストレージインタフェース２２３４は、コンピュータシステム２２００のその他のストレージインタフェースと同様に、固定ディスク装置２２４４等の、情報の記憶及び／又は検索用の標準コンピュータ可読媒体に接続することができる。固定ディスク装置２２４４は、コンピュータシステム２２００の一部であってもよく、別個であってその他のインタフェースシステムを介してアクセスしてもよい。ネットワークインタフェース２２４８は、ネットワーク装置との複合接続を提供することができる。更にまた、モデム２２４６は、電話リンクを介したリモートサーバへの、又はインターネットサービスプロバイダ（ＩＳＰ）を介したインターネットへの直接接続を提供することができる。ネットワークインタフェース２２４８は、任意の数のその他のネットワーク接続装置を含み得るデータネットワークへの１つ以上の接続を提供する。ネットワークインタフェース２２４８は、デジタル移動電話接続、セルラーデジタルパケットデータ（ＣＰＤＰ）接続、デジタル衛星データ接続等を含む無線技術を用いてそのような接続を提供することができる。
【０１６６】
その他の多くの装置又はサブシステム（図示せず）も、同様の方法で接続することができる（例えば、文書スキャナ、デジタルカメラなど）。その反対に、本発明を実施するために図２２に示す装置の全てが存在する必要はない。装置及びサブシステムは、図２２に示すのとは異なる方法で相互接続することができる。本発明を実施するためのコードは、コンピュータ可読記憶媒体、例えばシステムメモリ２２１６、固定ディスク２２４４、光ディスク２２４２、又はフロッピディスク２２３８の１つ又は複数に記憶することができる。コンピュータシステム２２００上に提供されるオペレーティングシステムは、ＭＳ−ＤＯＳ（登録商標）、ＭＳ−ＷＩＮＤＯＷＳ（登録商標）、ＯＳ／２（登録商標）、ＵＮＩＸ（登録商標）、Ｌｉｎｕｘ（登録商標）、又はその他のオペレーティングシステムであってよい。
【０１６７】
更に、本明細書において説明した信号に関して、信号は第１のブロックから第２のブロックへ直接伝達することができること、又は信号はブロック間で修正（例えば、増幅、減衰、遅延、ラッチ、バッファリング、反転、フィルタリング、又は別の方法で修正）することができることが、当業者には理解されるであろう。上記した実施形態の信号は１つのブロックから次へと伝達されるものとして描写されているが、本発明のその他の実施形態は、信号の情報及び／又は機能面がブロック間で伝達される限り、そのような直接的に伝達された信号の代わりに修正された信号を含んでもよい。ある程度は、第２のブロックでの信号入力は、関係する回路の物理的限界の（例えば、必然的に若干の減衰及び遅延があることになる）ため、第１のブロックからの第１の信号出力から得られる第２の信号として概念化することができる。従って、本明細書において用いられるように、第１の信号から得られる第２の信号は、回路制約のため、又は第１の信号の情報及び／又は最終機能面を変更しないその他の回路要素を通る通路のためであるにせよ、第１の信号又は第１の信号へのあらゆる修正を含む。
【０１６８】
前述の説明は、説明目的のため、特定の実施形態に関して説明してきた。しかしながら、上記の例証的説明は、包括的であることも、実施形態を開示した厳密な形態に限定することも意図するものではない。上記の教示を鑑みて、多くの修正及び変形が可能である。
【図１】
2016021740.tif 000003
【図２】
2016021740.tif 000004
【図３】
2016021740.tif 000005
【図４】
2016021740.tif 000006
【図５】
2016021740.tif 000007
【図６】
2016021740.tif 000008
【図７】
2016021740.tif 000009
【図８】
2016021740.tif 000010
【図９】
2016021740.tif 000011
【図１０】
2016021740.tif 000012
【図１１】
2016021740.tif 000013
【図１２】
2016021740.tif 000014
【図１３】
2016021740.tif 000015
【図１４】
2016021740.tif 000016
【図１５】
2016021740.tif 000017
【図１６】
2016021740.tif 000018
【図１７】
2016021740.tif 000019
【図１８Ａ】
2016021740.tif 000020
【図１８Ｂ】
2016021740.tif 000021
【図１９】
2016021740.tif 000022
【図２０】
2016021740.tif 000023
【図２１】
2016021740.tif 000024
【図２２】
2016021740.tif 000025
【外国語明細書】
2016021740.tif 000026
2016021740.tif 000027
2016021740.tif 000028
2016021740.tif 000029
2016021740.tif 000030
2016021740.tif 000031
2016021740.tif 000032
2016021740.tif 000033
2016021740.tif 000034
2016021740.tif 000035
2016021740.tif 000036
2016021740.tif 000037
2016021740.tif 000038
2016021740.tif 000039
2016021740.tif 000040
2016021740.tif 000041
2016021740.tif 000042
2016021740.tif 000043
2016021740.tif 000044
2016021740.tif 000045
2016021740.tif 000046
2016021740.tif 000047
2016021740.tif 000048
2016021740.tif 000049
2016021740.tif 000050
2016021740.tif 000051
2016021740.tif 000052
2016021740.tif 000053
2016021740.tif 000054
2016021740.tif 000055
2016021740.tif 000056
2016021740.tif 000057
2016021740.tif 000058
2016021740.tif 000059
2016021740.tif 000060
2016021740.tif 000061
2016021740.tif 000062
2016021740.tif 000063
2016021740.tif 000064
2016021740.tif 000065
2016021740.tif 000066
2016021740.tif 000067
2016021740.tif 000068
2016021740.tif 000069
2016021740.tif 000070
2016021740.tif 000071
2016021740.tif 000072
2016021740.tif 000073
2016021740.tif 000074
2016021740.tif 000075
2016021740.tif 000076
2016021740.tif 000077
2016021740.tif 000078
2016021740.tif 000079
2016021740.tif 000080
2016021740.tif 000081
2016021740.tif 000082
2016021740.tif 000083
2016021740.tif 000084
2016021740.tif 000085
2016021740.tif 000086
2016021740.tif 000087
2016021740.tif 000088
2016021740.tif 000089
2016021740.tif 000090
2016021740.tif 000091
2016021740.tif 000092
2016021740.tif 000093
2016021740.tif 000094
2016021740.tif 000095
2016021740.tif 000096
2016021740.tif 000097
2016021740.tif 000098
2016021740.tif 000099
2016021740.tif 000100
2016021740.tif 000101
2016021740.tif 000102
2016021740.tif 000103